(57)【特許請求の範囲】
【請求項１】
クラウドサーバ、ユーザが所持するユーザ端末、及び登録されたオペレータの端末であるオペレータ端末が通信回線を介して相互に通信可能に接続されたコマ撮り連続画像作成システムにおいて使用されるクラウドサーバであって、
コマ画像及び当該コマ画像の撮影日時並びに当該コマ画像に対応する連画特定情報及びユーザ特定情報を登録する連画情報データベースと、
コマ画像に対する補正作業及び検査作業のジョブ（以下「補正検査ジョブ」という。）に関する情報であるジョブレコードを登録するジョブ情報データベースと、
コマ画像の補正作業及び検査作業を行うオペレータが登録されたオペレータ情報データベースと、
前記ユーザ端末から通信回線を介して送信されるコマ画像及び当該コマ画像の撮影日時、連画特定情報を受信するコマ画像受信手段と、
前記コマ画像受信手段が受信したコマ画像を、当該ユーザ端末のユーザのユーザ特定情報、当該コマ画像に対応する連画特定情報及び撮影日時に対応させて前記連画情報データベースに登録するコマ画像登録手段と、
前記コマ画像受信手段が受信したコマ画像に関する補正検査ジョブのジョブレコードを前記ジョブ情報データベースに追加するジョブレコード追加手段と、
前記ジョブ情報データベースに登録された各ジョブレコードのリストであるジョブ公開リストを作成するジョブリスト作成手段と、
前記オペレータ端末から通信回線を介してアクセス可能なジョブ公開ホームページに当該ジョブリストを公開するジョブリスト公開手段と、
前記ジョブ公開ホームページの前記ジョブリストに公開された補正検査ジョブを選択するジョブ選択要求が前記オペレータ端末から送信された場合、前記ジョブ情報データベースにおける当該補正検査ジョブのジョブレコードに当該オペレータ端末のオペレータを登録し、前記ジョブ公開リストから当該補正検査ジョブを削除し又は前記ジョブ公開リストの当該補正検査ジョブを選択不可とする作業オペレータ登録手段と、
前記ジョブ選択要求により選択されたジョブレコードのコマ画像の情報を前記連画情報データベースから索出するとともに、当該コマ画像に対応する連画特定情報を有する過去のコマ画像の情報を前記連画情報データベースから索出するコマ画像検索手段と、
前記ジョブ選択要求により選択されたジョブレコードのコマ画像の情報を、当該ジョブ選択要求を発信した前記オペレータ端末に送信するとともに、当該ジョブ選択要求により選択されたジョブレコードのコマ画像に対応する過去のコマ画像の情報が索出されると、当該過去のコマ画像の情報を当該オペレータ端末に送信する作業画像送信手段と、
オペレータ端末からコマ画像を補正した補正画像の情報を受信した場合、前記連画情報データベースに登録された対応するコマ画像を当該補正画像の情報に基づき更新する補正画像更新手段と、を備えたクラウドサーバ。
【請求項２】
前記コマ画像受信手段が受信したコマ画像が所定の接写レンズを用いて撮影された画像（以下「規格画像」という。）であるか否かを判定する規格画像判定手段を備え、
前記ジョブレコード追加手段は、前記規格画像判定手段が規格画像と判定した場合、当該コマ画像に関する補正検査ジョブのジョブレコードを前記ジョブ情報データベースに追加するものであることを特徴とする請求項１記載のクラウドサーバ。
【請求項３】
前記ジョブ情報データベースの前記各ジョブレコードには、当該補正検査ジョブに対応するコマ画像の情報、及び当該補正検査ジョブの進行状態を示す作業深度も登録されており、
前記オペレータ情報データベースの各オペレータのオペレータレコードには、当該オペレータが行うことができる作業深度の情報（以下「技能レベル」という。）も登録されており、
前記ジョブリスト作成手段は、各ジョブレコードの作業深度ごとの個別の前記ジョブ公開リストを作成するものであり、
前記ジョブリスト公開手段は、前記オペレータ情報データベースに登録された、前記ジョブ公開ホームページにアクセスする前記オペレータ端末のオペレータの技能レベルに応じて、当該技能レベルに対応する作業深度の前記ジョブ公開リストを公開するものであり、
前記オペレータ端末から補正画像の情報を受信した場合、当該補正画像の情報に対応する前記ジョブレコードのコマ画像の情報を当該補正画像の情報に更新し、当該ジョブレコードの現在の作業深度に応じて、所定の遷移規則に従って当該ジョブレコードの作業深度を次の作業深度に遷移させ、
また、前記オペレータ端末から補正画像の検査結果に関する情報（以下「検査結果情報」という。）を受信した場合、当該ジョブレコードの現在の作業深度及び当該検査結果情報に応じて、所定の遷移規則に従って当該ジョブレコードの作業深度を次の作業深度に遷移させるジョブレコード更新手段と、
前記ジョブレコード更新手段により前記ジョブ情報データベースのジョブレコードの作業深度が更新されたとき、更新後の当該ジョブレコードの作業深度に対応する前記ジョブ公開リストに当該ジョブレコードを登録するジョブリスト更新手段と、を備え、
前記補正画像更新手段は、前記ジョブレコード更新手段により更新されるジョブレコードの作業深度が、最終深度に達したときに、前記連画情報データベースに登録された対応するコマ画像を当該ジョブレコードの補正画像の情報に基づき更新するものであることを特徴とする請求項１又は２記載のクラウドサーバ。
【請求項４】
前記ジョブ情報データベースの各ジョブレコードには、当該補正検査ジョブの進行状態を示す作業深度が、ランクＡ，Ｂ，Ｃ，Ｄの４段階で登録されており、
前記オペレータ情報データベースの各オペレータレコードには、前記技能レベルとして、当該オペレータが行うことができる作業深度Ａ，Ｂ，Ｃ，Ｄの何れかが登録されており、
前記ジョブリスト作成手段は、作業深度Ａ，Ｂ，Ｃ，Ｄごとに４種のジョブ公開リストを作成するものであり、
前記ジョブレコード更新手段は、
（１）作業深度Ａのジョブレコードに対して前記オペレータ端末から補正画像の情報を受信した場合、当該ジョブレコードのコマ画像の情報を当該補正画像の情報に更新し、当該ジョブレコードの作業深度を次の作業深度Ｃに遷移させ、
（２）作業深度Ｃのジョブレコードに対して前記オペレータ端末から検査結果情報を受信した場合、
当該検査結果情報の判定結果が合格の場合、前記補正画像更新手段により、当該ジョブレコードのコマ画像の情報に基づき前記連画情報データベースに登録された対応するコマ画像を更新するとともに、当該ジョブレコードを前記ジョブ情報データベースから削除し、
当該検査結果情報の判定結果が不合格の場合、当該ジョブレコードの作業深度を次の作業深度Ｂに遷移させ、
（３）作業深度Ｂのジョブレコードに対して前記オペレータ端末から補正画像の情報を受信した場合、当該ジョブレコードのコマ画像の情報を当該補正画像の情報に更新し、当該ジョブレコードの作業深度を次の作業深度Ｄに遷移させ、
（４）作業深度Ｄのジョブレコードに対して前記オペレータ端末から補正画像の情報を受信した場合、前記補正画像更新手段により、当該ジョブレコードのコマ画像の情報に基づき前記連画情報データベースに登録された対応するコマ画像を更新するとともに、当該ジョブレコードを前記ジョブ情報データベースから削除する
ものであることを特徴とする請求項３記載のクラウドサーバ。
【請求項５】
ユーザのユーザ端末からの特定の連画特定情報に対する画像の配信要求を受信すると、当該ユーザの当該連画特定情報の各コマ画像を連画情報データベースから索出し、索出されたコマ画像及びそのコマ画像の撮影日時を当該ユーザのユーザ端末に対し通信回線を介して配信するコマ画像配信手段を備えたことを特徴とする請求項１乃至４の何れか一記載のクラウドサーバ。
【請求項６】
コンピュータに読み込ませて実行することにより、コンピュータを請求項１乃至５の何れか一記載のクラウドサーバとして機能させることを特徴とするプログラム。
【請求項７】
クラウドサーバ、ユーザが所持するユーザ端末、及び登録されたオペレータの端末であるオペレータ端末が通信回線を介して相互に通信可能に接続されたコマ撮り連続画像作成システムであって、
前記クラウドサーバは、請求項１乃至５の何れか一記載のクラウドサーバであり、
前記ユーザ端末は、
デジタルカメラと、
前記デジタルカメラのレンズ前方に装着され、撮影対象とレンズとの距離を一定の距離に維持するスペーサを具備する接写レンズと、を備えていることを特徴とするコマ撮り連続画像作成システム。
【請求項８】
前記接写レンズは、一端に前記デジタルカメラのレンズ前方に装着する装着部が形成され他端が開口した円筒形状の透明部材で形成されたスペーサを備えていることを特徴とする請求項７記載のコマ撮り連続画像作成システム。
【請求項９】
前記接写レンズは、被写域の周縁に位置する部分に沿って、周縁全体に亘って付された、所定のパターン形状の識別マークを備え、
前記クラウドサーバの前記規格画像判定手段は、前記コマ画像受信手段が受信したコマ画像から前記識別マークの画像を検出し、前記識別マークの画像が検出された場合には、当該コマ画像を前記規格画像であると判定するものであることを特徴とする請求項２を引用する請求項７又は請求項２を引用する請求項７を引用する請求項８記載のコマ撮り連続画像作成システム。
【請求項１０】
クラウドサーバ、ユーザが所持するユーザ端末、及び登録されたオペレータの端末であるオペレータ端末が通信回線を介して相互に通信可能に接続されたコマ撮り連続画像作成システムであって、
前記クラウドサーバは、請求項５記載のクラウドサーバであり、
前記ユーザ端末は、
表示手段と、
各連画特定情報に対するコマ画像及びそのコマ画像の撮影日時の情報を格納する端末側連画情報データベースと、
前記クラウドサーバに対して、ユーザが指定する連画特定情報に対するコマ画像の配信要求を送信する配信要求手段と、
前記配信要求に対して、前記クラウドサーバから送信される当該連画特定情報の各コマ画像及びそのコマ画像の撮影日時を受信し、当該連画特定情報に関連づけて当該コマ画像及び撮影日時を前記端末側連画情報データベースに格納する連画情報受信手段と、
ユーザにより表示指示及び表示する連画特定情報が入力されると、当該連画特定情報に対するコマ画像を前記端末側連画情報データベースから抽出し、撮影日時の順に並べたコマ撮り連続画像として前記表示手段に表示する連画表示手段と、を備えていることを特徴とするコマ撮り連続画像作成システム。
【請求項１１】
請求項１乃至５の何れか一記載のクラウドサーバ、ユーザが所持するユーザ端末、及び登録されたオペレータの端末であるオペレータ端末が通信回線を介して相互に通信可能に接続されたコマ撮り連続画像作成システムにおいて使用されるオペレータ端末であって、
入力手段と、
表示手段と、
通信回線を介して、前記クラウドサーバが公開する前記ジョブ公開ホームページのジョブリストを受信するジョブリスト受信手段と、
オペレータに対して前記ジョブリストからジョブレコードを選択するよう促す表示を前記表示手段に表示し、それに対しオペレータが前記入力手段から入力する、特定のジョブレコードのジョブ選択要求を、通信回線を介して前記クラウドサーバに送信するジョブ選択手段と、
前記クラウドサーバから前記ジョブ選択要求に対する一乃至複数のコマ画像の情報を受信するコマ画像受信手段と、
前記表示手段に補正作業画面を表示するとともに、前記補正作業画面内に前記コマ画像を表示する補正作業画面表示手段と、
前記補正作業画面を用いたオペレータとの対話処理により、前記コマ画像に対する補正処理を行うことにより、補正画像の作成を行う対話補正処理手段と、
通信回線を介して、前記クラウドサーバに前記補正画像の情報を送信する補正画像送信手段と、を備え、
前記補正作業画面表示手段は、
前記補正作業画面内に、前記コマ画像受信手段が受信した最も新しい前記コマ画像である補正対象コマ画像を円形の表示ウィンドウ内に表示するとともに、前記コマ画像受信手段がその直前の前記コマ画像である参照コマ画像も受信していれば、当該参照コマ画像も並べて円形の表示ウィンドウ内に表示するコマ画像表示手段と、
前記補正作業画面内に、前記補正対象コマ画像に重ねて、前記参照コマ画像を土台画像として表示する土台画像表示手段と、
前記補正作業画面内に、前記土台画像の表示／非表示の切り換え又は透過率の調節の指示を入力するための土台画像表示制御スイッチ、前記表示ウィンドウ内に表示される前記補正対象コマ画像を上下左右に平行移動させる移動スイッチ、前記表示ウィンドウ内に表示される前記補正対象コマ画像を右方向及び左方向に回転させる回転スイッチ、前記表示ウィンドウ内に表示される前記補正対象コマ画像のコントラスト又は輝度を変化させる輝度調整スイッチ、前記補正対象コマ画像の補正作業を確定させる保存スイッチ、の各スイッチを含む作業スイッチを表示する作業スイッチ表示手段と、を備え、
前記対話補正処理手段は、オペレータが前記各作業スイッチにより入力する作業指令に従って、対話処理により、前記コマ画像に対する補正処理を行うことを特徴とするオペレータ端末。
【請求項１２】
コンピュータに読み込ませて実行することにより、コンピュータを請求項１１記載のオペレータ端末として機能させることを特徴とするプログラム。
【請求項１３】
クラウドサーバ、ユーザが所持するユーザ端末、及び登録されたオペレータの端末であるオペレータ端末が通信回線を介して相互に通信可能に接続されたシステムおいて、コマ撮り連続画像の作成を行うコマ撮り連続画像作成方法であって、
前記ユーザ端末が、前記ユーザ端末において撮影された、コマ画像及び当該コマ画像の撮影日時、連画特定情報が、通信回線を介して前記クラウドサーバに送信するコマ画像送信ステップと、
前記クラウドサーバが、前記コマ画像を、当該ユーザ端末のユーザのユーザ特定情報、当該コマ画像に対応する連画特定情報及び撮影日時に対応させて連画情報データベースに登録するコマ画像登録ステップと、
前記クラウドサーバが、前記コマ画像に関する補正検査ジョブのジョブレコードをジョブ情報データベースに追加するジョブレコード追加ステップと、
前記クラウドサーバが、前記ジョブ情報データベースに登録された各ジョブレコードのリストであるジョブ公開リストを作成するジョブリスト作成ステップと、
前記クラウドサーバが、前記オペレータ端末から通信回線を介してアクセス可能なジョブ公開ホームページに当該ジョブリストを公開するジョブリスト公開ステップと、
前記オペレータ端末が、オペレータの指示により、前記ジョブ公開ホームページのジョブリストから一のジョブレコードを選択するジョブ選択要求を送信するジョブ選択ステップと、
前記クラウドサーバが、前記ジョブ選択要求を受信すると、前記ジョブ情報データベースにおける当該補正検査ジョブのジョブレコードに当該オペレータ端末のオペレータを登録し、前記ジョブ公開リストから当該補正検査ジョブを削除し又は前記ジョブ公開リストの当該補正検査ジョブを選択不可とする作業オペレータ登録ステップと、
前記クラウドサーバが、前記ジョブ選択要求により選択されたジョブレコードのコマ画像の情報を前記連画情報データベースから索出するとともに、当該コマ画像に対応する連画特定情報を有する過去のコマ画像の情報を前記連画情報データベースから索出するコマ画像検索ステップと、
前記クラウドサーバが、前記ジョブ選択要求により選択されたジョブレコードのコマ画像の情報を、当該ジョブ選択要求を発信した前記オペレータ端末に送信するとともに、当該ジョブ選択要求により選択されたジョブレコードのコマ画像に対応する過去のコマ画像の情報が索出されると、当該過去のコマ画像の情報を当該オペレータ端末に送信する作業画像送信ステップと、
前記クラウドサーバが、前記オペレータ端末からコマ画像を補正した補正画像の情報を受信した場合、前記連画情報データベースに登録された対応するコマ画像を当該補正画像の情報に基づき更新する補正画像更新ステップと、を備えたコマ撮り連続画像作成方法。
【発明の詳細な説明】
【技術分野】
【０００１】
本発明は、塗り薬、育毛剤、化粧品等の使用による適用箇所の時間変化や、その他の視覚的に捉えることのできる特定箇所の時間変化の様子を、コマ撮り連続画像として閲覧可能とするためのコマ撮り連続画像作成システムに関する。
【背景技術】
【０００２】
本発明に関係する先行技術として、特許文献１には、第１ユーザ端末と、ダーモスコープ付カメラを備える第２ユーザ端末とに通信可能に接続している、皮膚病変を診断するための遠隔診断装置であって、第１ユーザ端末から受信された皮膚病変に関するデータを格納するデータベースＤと、データベースＤに格納されたデータに基づいて更新される、皮膚画像に対し皮膚病変を対象として診断する診断プログラムとを備え、ダーモスコープ付カメラで色素沈着部位が撮影された皮膚画像を第２ユーザ端末から受信し、受信した該皮膚画像に対して前記診断プログラムを用いて皮膚病変を対象として診断し、その診断結果を所定の送信先に送信する遠隔診断装置が記載されている。
【０００３】
この遠隔診断装置では、まず、皮膚病変を有する患者を医師が病理診断し、その皮膚病変の画像及び診断結果を第１ユーザ端末（パソコン等）から遠隔診断装置（データベース管理サーバ）に送信する。遠隔診断装置は、当該写真及び診断結果をデータベースＤに保存する。一方、患者は第２ユーザ端末（携帯電話等）のダーモスコープ付カメラを用いて、皮膚病変を撮影し、その皮膚画像を皮膚病変ＩＤ，送信時間情報とともに遠隔診断装置に送信する。この皮膚画像の送信は、皮膚病変の変化に従って複数回に亘り行われる。遠隔診断装置は、当該皮膚画像，皮膚病変ＩＤ，送信時間情報を受信すると、その皮膚病変ＩＤ，送信時間情報に関連づけて当該皮膚画像を記憶装置に保存する。次いで、遠隔診断装置は、当該皮膚病変ＩＤの画像を、送信時間の順に記憶装置から読み出して自動診断し、得られた診断結果を、メールソフトやブラウザ等を通して患者の送信先に送信する。
【０００４】
また、特許文献２には、撮影された皮膚の写真を、コンピュータで読み取り可能な画像データの形式で複数の利用者に提供する皮膚画像データ提供装置であって、皮膚画像データに関する情報を記憶するデータベースＤが設けられ、皮膚画像データに施された補正が適切であると認証機関によって認証された皮膚画像データまたは認証機関が補正した皮膚画像データの登録を受け付ける皮膚画像データ登録受付手段と、利用者からの皮膚画像データ閲覧もしくは購入の申し込みを受け付ける皮膚画像データ閲覧および購入申込受付手段と、利用者から皮膚画像データ閲覧の申し込みがあると、データベースＤに記憶されている皮膚画像データに関する情報を利用者に提示する皮膚画像データ情報提示手段と、利用者から特定の皮膚画像データについて購入の申し込みがあると、データベースＤを検索して特定の皮膚画像データに関する情報を抽出する皮膚画像データ抽出手段とを備えた皮膚画像データ提供装置が記載されている。
【０００５】
この皮膚画像データ提供装置は、学会発表や論文で用いられる皮膚写真は、撮影条件の違いで色合い等が区々であるという問題を解決するため、撮影された皮膚の写真を、統一化された補正が施された画像データとして利用者に提供するためのものである。まず、会員は、予め配布された器材及びソフトウェアを用いて皮膚写真を撮影し、認証機関に送信する。撮影の最には、色見本を並べてこれも同時に撮影する。送信前に、会員は、撮影された色見本の彩度・明度を補正する。認証機関（写真専門家や皮膚科医等で構成）は、補正が適切か否かを判断し、適切であれば皮膚画像データ提供装置のデータベースＤに登録する。尚、補正は認証機関の側で行うこともできる。会員は、皮膚画像データ提供装置のデータベースＤにアクセスして、登録された皮膚画像を閲覧することができる。
【０００６】
その他、本発明に関係する先行技術としては、特許文献３〜８に記載のものが開示されている。
【先行技術文献】
【特許文献】
【０００７】
【特許文献１】特開２００５−１９２９４４号公報
【特許文献２】特開２００２−２８８４５４号公報
【特許文献３】特開２００４−００５１５６号公報
【特許文献４】特開２００３−２８１２７０号公報
【特許文献５】特開２００１−２０９７２８号公報
【特許文献６】特開２００４−２３７０４８号公報
【特許文献７】特開２００２−１７５４７８号公報
【特許文献８】特開２００４−３５４２０７号公報
【発明の概要】
【発明が解決しようとする課題】
【０００８】
特許文献１の遠隔診断装置では、患者の皮膚画像が、皮膚病変ＩＤ，送信時間情報と関連づけてデータベースＤに蓄積されるが、これはあくまでも自動診断に必要な診断データとしての蓄積であり、撮影条件による向き、位置、色合いの統一が図られたものではない。そもそも特許文献１の遠隔診断装置の本来の目的は、自動診断を行い患者に診断結果を提供することであり、この目的に於いては撮影条件による向き、位置、色合いの統一を図る必要性はない。
【０００９】
一方、データベースＤに経時的に蓄積された皮膚画像を、パラパラ動画のように経時的に変化するコマ撮り連続画像として患者に閲覧できるようにできれば、患者は病気の進行や治療による改善効果を一目で認識することができ、非常に有用である。しかしながら、患者が撮影する画像は、一般的に、向きや位置が区々であり、これらを自動的に一定の向きや位置に補正することは、現在の画像処理技術においては極めて困難である。従って、これらの蓄積された皮膚画像を用いて、そのままコマ撮り連続画像として閲覧可能とすることはできない。
【００１０】
上記特許文献２の皮膚画像データ提供装置は、会員から提供される皮膚画像を、統一された彩度・明度に補正してデータベースに蓄積するものである。しかしながら、撮影条件による拡大率や向きや位置の統一化は図られてはいない。また、収集される皮膚画像は、基本的にバラバラであり、１カ所を経時的に撮影したものとは限られるものではない。
【００１１】
そこで、本発明に係るコマ撮り連続画像作成システムは、これら従来のシステムとは異なり、ユーザから提供される同一対象を経時的・間歇的に撮影した複数の画像の時間変化を、コマ撮り連続画像としてユーザが閲覧できるようにするためのコマ撮り連続画像作成システムを提供することを目的とする。
【００１２】
尚、本発明に係るコマ撮り連続画像作成システムの用途としては、上述の医療関連用途に限定されるものではなく、化粧品の使用前後の状態の確認、育毛剤の効用の経時的効果の確認等を、各商品のユーザが登録し閲覧できるようにするためのシステムなど、様々な用途に適用することができる。
【課題を解決するための手段】
【００１３】
本発明に係るコマ撮り連続画像作成システムに用いるクラウドサーバの第１の構成は、クラウドサーバ、ユーザが所持するユーザ端末、及び登録されたオペレータの端末であるオペレータ端末が通信回線を介して相互に通信可能に接続されたコマ撮り連続画像作成システムにおいて使用されるクラウドサーバであって、
コマ画像及び当該コマ画像の撮影日時並びに当該コマ画像に対応する連画特定情報及びユーザ特定情報を登録する連画情報データベースと、
コマ画像に対する補正作業及び検査作業のジョブ（以下「補正検査ジョブ」という。）に関する情報であるジョブレコードを登録するジョブ情報データベースと、
コマ画像の補正作業及び検査作業を行うオペレータが登録されたオペレータ情報データベースと、
前記ユーザ端末から通信回線を介して送信されるコマ画像及び当該コマ画像の撮影日時、連画特定情報を受信するコマ画像受信手段と、
前記コマ画像受信手段が受信したコマ画像を、当該ユーザ端末のユーザのユーザ特定情報、当該コマ画像に対応する連画特定情報及び撮影日時に対応させて前記連画情報データベースに登録するコマ画像登録手段と、
前記コマ画像受信手段が受信したコマ画像に関する補正検査ジョブのジョブレコードを前記ジョブ情報データベースに追加するジョブレコード追加手段と、
前記ジョブ情報データベースに登録された各ジョブレコードのリストであるジョブ公開リストを作成するジョブリスト作成手段と、
前記オペレータ端末から通信回線を介してアクセス可能なジョブ公開ホームページに当該ジョブリストを公開するジョブリスト公開手段と、
前記ジョブ公開ホームページの前記ジョブリストに公開された補正検査ジョブを選択するジョブ選択要求が前記オペレータ端末から送信された場合、前記ジョブ情報データベースにおける当該補正検査ジョブのジョブレコードに当該オペレータ端末のオペレータを登録し、前記ジョブ公開リストから当該補正検査ジョブを削除し又は前記ジョブ公開リストの当該補正検査ジョブを選択不可とする作業オペレータ登録手段と、
前記ジョブ選択要求により選択されたジョブレコードのコマ画像の情報を前記連画情報データベースから索出するとともに、当該コマ画像に対応する連画特定情報を有する過去のコマ画像の情報を前記連画情報データベースから索出するコマ画像検索手段と、
前記ジョブ選択要求により選択されたジョブレコードのコマ画像の情報を、当該ジョブ選択要求を発信した前記オペレータ端末に送信するとともに、当該ジョブ選択要求により選択されたジョブレコードのコマ画像に対応する過去のコマ画像の情報が索出されると、当該過去のコマ画像の情報を当該オペレータ端末に送信する作業画像送信手段と、
オペレータ端末からコマ画像を補正した補正画像の情報を受信した場合、前記連画情報データベースに登録された対応するコマ画像を当該補正画像の情報に基づき更新する補正画像更新手段と、を備えたことを特徴とする。
【００１４】
この構成によれば、ユーザ端末を所持するユーザが当該ユーザ端末に於いて撮影したコマ画像が撮影日時、連画特定情報とともにクラウドサーバに送信されると、コマ画像登録手段がこれを連画情報データベースに登録し、ジョブレコード追加手段が受信したコマ画像に関する補正検査ジョブのジョブレコードをジョブ情報データベースに追加する。次いで、ジョブリスト作成手段がジョブ情報データベースに登録された各ジョブレコードのリストであるジョブ公開リストを作成し、ジョブリスト公開手段がジョブ公開リストをオペレータ端末から通信回線を介してアクセス可能なジョブ公開ホームページに公開する。各オペレータ端末のオペレータが、ジョブ公開ホームページに公開されたジョブ公開リストから、補正検査ジョブを選択すると、作業オペレータ登録手段により当該補正検査ジョブに対しオペレータが登録され、当該補正検査ジョブがジョブ公開リストから削除され、コマ画像の情報がオペレータ端末に送信される。オペレータがオペレータ端末に於いてコマ画像の補正を行い、クラウドサーバに補正画像を送信すると、補正画像更新手段が連画情報データベースに登録された対応するコマ画像を当該補正画像の情報に基づき更新する。これにより、連画情報データベースには、ユーザ端末から送信されるコマ画像が登録される度に、オペレータにより補正され、補正されたコマ画像が蓄積される。
【００１５】
ユーザ端末から送信される原画像を、コマ撮り連続画像（連画）のコマ画像として使用できる品質までに補正する処理は、自動化が困難であり、畢竟、人間による目視により補正する作業が必要とされ、最も時間と労力を要する。本発明では、この補正作業を、多数のクラウドオペレータに割り振ることで分散処理し、全体として補正作業を迅速に行うことが可能となる。また、各コマ画像の補正作業を補正検査ジョブとして、各オペレータ端末からアクセス可能なジョブ公開リストに公開し、手の空いたオペレータが適時補正作業を選択・実行することができるようにしたことにより、各オペレータへの補正検査ジョブの割り当てが自動的に準最適化され、効率のよい補正作業及び検査作業の割り当て実行が可能となる。
【００１６】
ここで、「連画特定情報」とは、コマ画像が属するコマ撮り連続画像（連画）を一意的に特定する情報をいい、連画ごとに固有に付された連画ＩＤや連画名などである。「ユーザ特定情報」とは、ユーザを一意的に特定する情報をいい、ユーザごとに固有に付されたユーザＩＤなどである。
【００１７】
本発明に係るコマ撮り連続画像作成システムに用いるクラウドサーバの第２の構成は、前記第１の構成に於いて、前記コマ画像受信手段が受信したコマ画像が所定の接写レンズを用いて撮影された画像（以下「規格画像」という。）であるか否かを判定する規格画像判定手段を備え、
前記ジョブレコード追加手段は、前記規格画像判定手段が規格画像と判定した場合、当該コマ画像に関する補正検査ジョブのジョブレコードを前記ジョブ情報データベースに追加するものであることを特徴とする。
【００１８】
この構成によれば、ユーザ端末から送信される原画像を、コマ撮り連続画像（連画）のコマ画像として使用できるもの（規格画像）と、使用できないもの（規格画像以外）とを規格画像判定手段が自動的に選別し、規格画像のみを抜粋して補正検査ジョブに割り当てることにより、無駄な補正検査ジョブの発生が防止され、全体としてより効率的に補正作業及び検査作業を実施することが可能となる。
【００１９】
本発明に係るコマ撮り連続画像作成システムに用いるクラウドサーバの第３の構成は、前記第１又は２の構成に於いて、前記ジョブ情報データベースの前記各ジョブレコードには、当該補正検査ジョブに対応するコマ画像の情報、及び当該補正検査ジョブの進行状態を示す作業深度も登録されており、
前記オペレータ情報データベースの各オペレータのオペレータレコードには、当該オペレータが行うことができる作業深度の情報（以下「技能レベル」という。）も登録されており、
前記ジョブリスト作成手段は、各ジョブレコードの作業深度ごとの個別の前記ジョブ公開リストを作成するものであり、
前記ジョブリスト公開手段は、前記オペレータ情報データベースに登録された、前記ジョブ公開ホームページにアクセスする前記オペレータ端末のオペレータの技能レベルに応じて、当該技能レベルに対応する作業深度の前記ジョブ公開リストを公開するものであり、
前記オペレータ端末から補正画像の情報を受信した場合、当該補正画像の情報に対応する前記ジョブレコードのコマ画像の情報を当該補正画像の情報に更新し、当該ジョブレコードの現在の作業深度に応じて、所定の遷移規則に従って当該ジョブレコードの作業深度を次の作業深度に遷移させ、
また、前記オペレータ端末から補正画像の検査結果に関する情報（以下「検査結果情報」という。）を受信した場合、当該ジョブレコードの現在の作業深度及び当該検査結果情報に応じて、所定の遷移規則に従って当該ジョブレコードの作業深度を次の作業深度に遷移させるジョブレコード更新手段と、
前記ジョブレコード更新手段により前記ジョブ情報データベースのジョブレコードの作業深度が更新されたとき、更新後の当該ジョブレコードの作業深度に対応する前記ジョブ公開リストに当該ジョブレコードを登録するジョブリスト更新手段と、を備え、
前記補正画像更新手段は、前記ジョブレコード更新手段により更新されるジョブレコードの作業深度が、最終深度に達したときに、前記連画情報データベースに登録された対応するコマ画像を当該ジョブレコードの補正画像の情報に基づき更新するものであることを特徴とする。
【００２０】
この構成によれば、ジョブレコードのコマ画像が補正・検査される度に、ジョブレコードの作業深度を次々に遷移させていくことにより、一定の品質のコマ画像の補正が画一的に行われる。
【００２１】
本発明に係るコマ撮り連続画像作成システムに用いるクラウドサーバの第４の構成は、前記第３の構成に於いて、前記ジョブ情報データベースの各ジョブレコードには、当該補正検査ジョブの進行状態を示す作業深度が、ランクＡ，Ｂ，Ｃ，Ｄの４段階で登録されており、
前記オペレータ情報データベースの各オペレータレコードには、前記技能レベルとして、当該オペレータが行うことができる作業深度Ａ，Ｂ，Ｃ，Ｄの何れかが登録されており、
前記ジョブリスト作成手段は、作業深度Ａ，Ｂ，Ｃ，Ｄごとに４種のジョブ公開リストを作成するものであり、
前記ジョブレコード更新手段は、
（１）作業深度Ａのジョブレコードに対して前記オペレータ端末から補正画像の情報を受信した場合、当該ジョブレコードのコマ画像の情報を当該補正画像の情報に更新し、当該ジョブレコードの作業深度を次の作業深度Ｃに遷移させ、
（２）作業深度Ｃのジョブレコードに対して前記オペレータ端末から検査結果情報を受信した場合、
当該検査結果情報の判定結果が合格の場合、前記補正画像更新手段により、当該ジョブレコードのコマ画像の情報に基づき前記連画情報データベースに登録された対応するコマ画像を更新するとともに、当該ジョブレコードを前記ジョブ情報データベースから削除し、
当該検査結果情報の判定結果が不合格の場合、当該ジョブレコードの作業深度を次の作業深度Ｂに遷移させ、
（３）作業深度Ｂのジョブレコードに対して前記オペレータ端末から補正画像の情報を受信した場合、当該ジョブレコードのコマ画像の情報を当該補正画像の情報に更新し、当該ジョブレコードの作業深度を次の作業深度Ｄに遷移させ、
（４）作業深度Ｄのジョブレコードに対して前記オペレータ端末から補正画像の情報を受信した場合、前記補正画像更新手段により、当該ジョブレコードのコマ画像の情報に基づき前記連画情報データベースに登録された対応するコマ画像を更新するとともに、当該ジョブレコードを前記ジョブ情報データベースから削除する
ものであることを特徴とする。
【００２２】
この構成によれば、補正と検査を別々のオペレータによって行うことで、複数の者によるコマ画像の補正とチェックが行われるため、コマ撮り連続画像（連画）用のコマ画像としての一定水準の品質が補償される。
【００２３】
本発明に係るコマ撮り連続画像作成システムに用いるクラウドサーバの第５の構成は、前記第１乃至４の何れか一の構成に於いて、ユーザのユーザ端末からの特定の連画特定情報に対する画像の配信要求を受信すると、当該ユーザの当該連画特定情報の各コマ画像を連画情報データベースから索出し、索出されたコマ画像及びそのコマ画像の撮影日時を当該ユーザのユーザ端末に対し通信回線を介して配信するコマ画像配信手段を備えたことを特徴とする。
【００２４】
この構成によれば、ユーザ端末において、クラウドサーバにおいて作成した連画を閲覧することができる。
【００２５】
本発明に係るコマ撮り連続画像作成システムに用いるクラウドサーバ用のプログラムは、コンピュータに読み込ませて実行することにより、コンピュータを前記第１乃至５の何れか一の構成のクラウドサーバとして機能させることを特徴とする。
【００２６】
本発明に係るコマ撮り連続画像作成システムの第１の構成は、クラウドサーバ、ユーザが所持するユーザ端末、及び登録されたオペレータの端末であるオペレータ端末が通信回線を介して相互に通信可能に接続されたコマ撮り連続画像作成システムであって、
前記クラウドサーバは、第１乃至５の何れか一の構成のクラウドサーバであり、
前記ユーザ端末は、
デジタルカメラと、
前記デジタルカメラのレンズ前方に装着され、撮影対象とレンズとの距離を一定の距離に維持するスペーサを具備する接写レンズと、を備えていることを特徴とする。
【００２７】
この構成によれば、ユーザ端末に於いて、撮影対象とレンズとの距離を一定の距離に維持するスペーサを具備する接写レンズを用いてコマ画像の撮影を行うことで、ユーザの撮影技能によらず、一定の品質のコマ画像の撮影を行うことができるため、結果的にこれらのコマ画像を連ねた連画の品質を高めることができる。
【００２８】
本発明に係るコマ撮り連続画像作成システムの第２の構成は、前記第１の構成に於いて、前記接写レンズは、一端に前記デジタルカメラのレンズ前方に装着する装着部が形成され他端が開口した円筒形状の透明部材で形成されたスペーサを備えていることを特徴とする。
【００２９】
この構成によれば、スペーサの先端を被写体に当接させて撮影することで、撮影対象とレンズとの距離を一定の距離に維持することができる。
【００３０】
本発明に係るコマ撮り連続画像作成システムの第３の構成は、前記第１又は２の構成に於いて、前記接写レンズは、被写域の周縁に位置する部分に沿って、周縁全体に亘って付された、所定のパターン形状の識別マークを備え、
前記クラウドサーバの前記規格画像判定手段は、前記コマ画像受信手段が受信したコマ画像から前記識別マークの画像を検出し、前記識別マークの画像が検出された場合には、当該コマ画像を前記規格画像であると判定するものであることを特徴とする。
【００３１】
この構成によれば、コマ画像の識別マークを検出することで、クラウドサーバにおいて、ユーザ端末から受信したコマ画像が、所定の接写レンズを用いて撮影されたものであるか否かを自動識別でき、無駄な補正・検査作業が生じることを防止できる。
【００３２】
本発明に係るコマ撮り連続画像作成システムの第４の構成は、クラウドサーバ、ユーザが所持するユーザ端末、及び登録されたオペレータの端末であるオペレータ端末が通信回線を介して相互に通信可能に接続されたコマ撮り連続画像作成システムであって、
前記クラウドサーバは、前記第５の構成のクラウドサーバであり、
前記ユーザ端末は、
表示手段と、
各連画特定情報に対するコマ画像及びそのコマ画像の撮影日時の情報を格納する端末側連画情報データベースと、
前記クラウドサーバに対して、ユーザが指定する連画特定情報に対するコマ画像の配信要求を送信する配信要求手段と、
前記配信要求に対して、前記クラウドサーバから送信される当該連画特定情報の各コマ画像及びそのコマ画像の撮影日時を受信し、当該連画特定情報に関連づけて当該コマ画像及び撮影日時を前記端末側連画情報データベースに格納する連画情報受信手段と、
ユーザにより表示指示及び表示する連画特定情報が入力されると、当該連画特定情報に対するコマ画像を前記端末側連画情報データベースから抽出し、撮影日時の順に並べたコマ撮り連続画像として前記表示手段に表示する連画表示手段と、を備えていることを特徴とする。
【００３３】
この構成によれば、ユーザ端末において、クラウドサーバで補正された連画を、連画表示手段によって閲覧することができる。
【００３４】
本発明に係るコマ撮り連続画像作成システムに用いるオペレータ端末の構成は、前記第１乃至５の何れか一の構成のクラウドサーバ、ユーザが所持するユーザ端末、及び登録されたオペレータの端末であるオペレータ端末が通信回線を介して相互に通信可能に接続されたコマ撮り連続画像作成システムにおいて使用されるオペレータ端末であって、
入力手段と、
表示手段と、
通信回線を介して、前記クラウドサーバが公開する前記ジョブ公開ホームページのジョブリストを受信するジョブリスト受信手段と、
オペレータに対して前記ジョブリストからジョブレコードを選択するよう促す表示を前記表示手段に表示し、それに対しオペレータが前記入力手段から入力する、特定のジョブレコードのジョブ選択要求を、通信回線を介して前記クラウドサーバに送信するジョブ選択手段と、
前記クラウドサーバから前記ジョブ選択要求に対する一乃至複数のコマ画像の情報を受信するコマ画像受信手段と、
前記表示手段に補正作業画面を表示するとともに、前記補正作業画面内に前記コマ画像を表示する補正作業画面表示手段と、
前記補正作業画面を用いたオペレータとの対話処理により、前記コマ画像に対する補正処理を行うことにより、補正画像の作成を行う対話補正処理手段と、
通信回線を介して、前記クラウドサーバに前記補正画像の情報を送信する補正画像送信手段と、を備え、
前記補正作業画面表示手段は、
前記補正作業画面内に、前記コマ画像受信手段が受信した最も新しい前記コマ画像である補正対象コマ画像を円形の表示ウィンドウ内に表示するとともに、前記コマ画像受信手段がその直前の前記コマ画像である参照コマ画像も受信していれば、当該参照コマ画像も並べて円形の表示ウィンドウ内に表示するコマ画像表示手段と、
前記補正作業画面内に、前記補正対象コマ画像に重ねて、前記参照コマ画像を土台画像として表示する土台画像表示手段と、
前記補正作業画面内に、前記土台画像の表示／非表示の切り換え又は透過率の調節の指示を入力するための土台画像表示制御スイッチ、前記表示ウィンドウ内に表示される前記補正対象コマ画像を上下左右に平行移動させる移動スイッチ、前記表示ウィンドウ内に表示される前記補正対象コマ画像を右方向及び左方向に回転させる回転スイッチ、前記表示ウィンドウ内に表示される前記補正対象コマ画像のコントラスト又は輝度を変化させる輝度調整スイッチ、前記補正対象コマ画像の補正作業を確定させる保存スイッチ、の各スイッチを含む作業スイッチを表示する作業スイッチ表示手段と、を備え、
前記対話補正処理手段は、オペレータが前記各作業スイッチにより入力する作業指令に従って、対話処理により、前記コマ画像に対する補正処理を行うことを特徴とする。
【００３５】
この構成によれば、オペレータ端末に於いて、コマ画像の補整を画一的かつ容易に実施することができる。
【００３６】
本発明に係るコマ撮り連続画像作成システムに用いるオペレータ端末用のプログラムは、コンピュータに読み込ませて実行することにより、コンピュータを上記のオペレータ端末として機能させることを特徴とする。
【００３７】
本発明に係るコマ撮り連続画像作成方法は、クラウドサーバ、ユーザが所持するユーザ端末、及び登録されたオペレータの端末であるオペレータ端末が通信回線を介して相互に通信可能に接続されたシステムおいて、コマ撮り連続画像の作成を行うコマ撮り連続画像作成方法であって、
前記ユーザ端末が、前記ユーザ端末において撮影された、コマ画像及び当該コマ画像の撮影日時、連画特定情報が、通信回線を介して前記クラウドサーバに送信するコマ画像送信ステップと、
前記クラウドサーバが、前記コマ画像を、当該ユーザ端末のユーザのユーザ特定情報、当該コマ画像に対応する連画特定情報及び撮影日時に対応させて連画情報データベースに登録するコマ画像登録ステップと、
前記クラウドサーバが、前記コマ画像に関する補正検査ジョブのジョブレコードを前記ジョブ情報データベースに追加するジョブレコード追加ステップと、
前記クラウドサーバが、前記ジョブ情報データベースに登録された各ジョブレコードのリストであるジョブ公開リストを作成するジョブリスト作成ステップと、
前記クラウドサーバが、前記オペレータ端末から通信回線を介してアクセス可能なジョブ公開ホームページに当該ジョブリストを公開するジョブリスト公開ステップと、
前記オペレータ端末が、オペレータの指示により、前記ジョブ公開ホームページのジョブリストから一のジョブレコードを選択するジョブ選択要求を送信するジョブ選択ステップと、
前記クラウドサーバが、前記ジョブ選択要求を受信すると、前記ジョブ情報データベースにおける当該補正検査ジョブのジョブレコードに当該オペレータ端末のオペレータを登録し、前記ジョブ公開リストから当該補正検査ジョブを削除し又は前記ジョブ公開リストの当該補正検査ジョブを選択不可とする作業オペレータ登録ステップと、
前記クラウドサーバが、前記ジョブ選択要求により選択されたジョブレコードのコマ画像の情報を前記連画情報データベースから索出するとともに、当該コマ画像に対応する連画特定情報を有する過去のコマ画像の情報を前記連画情報データベースから索出するコマ画像検索ステップと、
前記クラウドサーバが、前記ジョブ選択要求により選択されたジョブレコードのコマ画像の情報を、当該ジョブ選択要求を発信した前記オペレータ端末に送信するとともに、当該ジョブ選択要求により選択されたジョブレコードのコマ画像に対応する過去のコマ画像の情報が索出されると、当該過去のコマ画像の情報を当該オペレータ端末に送信する作業画像送信ステップと、
前記クラウドサーバが、前記オペレータ端末からコマ画像を補正した補正画像の情報を受信した場合、前記連画情報データベースに登録された対応するコマ画像を当該補正画像の情報に基づき更新する補正画像更新ステップと、を備えたことを特徴とする。
【発明の効果】
【００３８】
以上のように、本発明によれば、各コマ画像の補正作業及び検査作業は、多数のクラウドオペレータのオペレータ端末によって行われ、その結果得られる補正されたコマ画像が、連画情報データベースに逐次蓄積されることになる。このような連画のためのコマ画像の補正作業及び検査作業は、現在の画像処理技術では、自動的に実施することは極めて困難であり、人間による目視作業によって補正作業を行わなければ、連画としての品質を十分に保つことができない。本発明のコマ撮り連続画像作成システムでは、各コマ画像に対する一連の補正作業及び検査作業を、「補正検査ジョブ」として捉え、この補正検査ジョブをジョブ公開ホームページに公開して、多数のクラウドオペレータによる分散処理によって行う。どの補正検査ジョブを選択し、いつ補正作業を行うかは、それぞれのオペレータ端末における各オペレータが、自分の予定に合わせて適宜判断するため、自ずと補正検査ジョブの割り当てが準最適化され、効率のよい補正作業及び検査作業の分散実行が可能となる。これにより、手間のかかる人手による補正作業及び検査作業を素早く実行することができる。また、補正検査ジョブを初期深度から最終深度まで遷移させることで、多数のコマ画像に対する補正作業及び検査作業を流れ作業として実行し、１つのコマ画像の補整及び検査を、複数の異なるオペレータにより行うことで、マ撮り連続画像（連画）としての品質を、一定の水準に補償することが可能となる。
【００３９】
また、入力されるコマ画像の撮影時のばらつきによるコマ画像の縮尺の不均一製をなくすため、本発明のコマ撮り連続画像作成システムでは、ユーザ端末において、デジタルカメラと被写体との距離及び拡大率を一定とする専用の接写レンズを用いてコマ画像を撮影することで、ユーザの撮影技能によらずコマ画像の縮尺率を一定とし、連画に適したコマ画像を連画情報データベースに蓄積させることができる。また、クラウドサーバにおいて、ユーザ端末から受信したコマ画像が、接写レンズを用いて撮影された規格画像であるか否かが判別可能とするために、接写レンズの被写域の周縁に位置する部分に沿って、周縁全体に亘って付された、所定のパターン形状の識別マークを設けたことで、コマ画像が接写レンズを用いて撮影されたものであるか否かをクラウドサーバにおいて自動判別することが可能となり、無駄な補正検査ジョブが発生することを防止でき、補正作業及び検査作業の効率化が図られる。
【図面の簡単な説明】
【００４０】
【図１】本発明の実施例１に係るコマ撮り連続画像作成システムの全体構成を表す図である。
【図２】図１のクラウドサーバ１の機能構成を示すブロック図である。
【図３】図２におけるデータベース群の構造をＥＲ図（IDEF1X記法）により示した図である。
【図４】図１のユーザ端末２の機能構成を示すブロック図である。
【図５】図４におけるデータベースの構造をＥＲ図（IDEF1X記法）により示した図である。
【図６】ユーザ端末２のデジタルカメラ３４に装着される接写レンズ（専用接写レンズ）を示す図である。（ａ）接写レンズ５０の本体を示す図、（ｂ）クリップ５６により接写レンズ５０をユーザ端末２に取り付けている状態を示す図、（ｃ）接写レンズ５０をユーザ端末２に取り付けた状態を表す断面模式図、（ｄ）接写レンズ５０を用いてユーザ端末２により被写体を撮影している状態を表す図。
【図７】識別マークの例を示す図である。
【図８】図１のオペレータ端末３の機能構成を示すブロック図である。
【図９】実施例１に係るコマ撮り連続画像作成システムにおけるコマ画像登録処理を表すフローチャートである。
【図１０】ユーザ端末２に表示される表示画面の遷移を表す図である。
【図１１】図１０（ｂ），（ｃ）の表示画面の一例を具体的に表した図である。
【図１２】具体的な連画情報レコードのリストの例を示す図である。
【図１３】図１０（ｄ）のコマ画像撮影画面の一例を具体的に表す図、及び撮影領域、撮影されたコマ画像の例を示す図である。
【図１４】ジョブ公開ホームページの表示画面の例を示す図である。
【図１５】実施例１に係るコマ撮り連続画像作成システムにおけるコマ画像補正・検査処理を表すフローチャートである。
【図１６】ジョブ情報データベース９に登録された補正検査ジョブの作業深度の状態遷移を表す図である。
【図１７】オペレータ端末３に表示される補正作業画面の一例を具体的に表す図である。
【図１８】オペレータ端末３における対話補正処理手段７０による補正作業の一例を表す図である。
【図１９】実施例１に係るコマ撮り連続画像作成システムにおける連画の配信及び閲覧処理を表すフローチャートである。
【図２０】図１０（ｅ），（ｆ）の連画閲覧画面の一例を具体的に表した図である。
【発明を実施するための形態】
【００４１】
以下、本発明を実施するための形態について、図面を参照しながら説明する。
【実施例１】
【００４２】
〔１〕システム構成
本実施例に於いては、本発明の一応用例として、化粧品や塗布薬の使用効果を知るためにユーザが施用箇所の写真を時間経過に従って撮影し、これらを合わせて時間経過順にコマ撮り連続画像として閲覧可能とするデータを作成するためのコマ撮り連続画像作成システムについて説明する。図１は、本発明に係るコマ撮り連続画像作成システムの全体構成を表す図である。本発明に係るコマ撮り連続画像作成システムは、クラウドサーバ１、複数のユーザ端末２、複数のオペレータ端末３が、インターネットなどの通信回線４を介して相互に通信可能に接続された構成を有している。
【００４３】
クラウドサーバ１は、システム管理者が保有するサーバである。クラウドサーバ１としては、ワークステーション等が使用される。ユーザ端末２は、ユーザが所持する通信端末であり、デジタル写真を撮影するカメラを備えたものである。具体的には、ユーザ端末２としては、携帯電話、スマートフォン、タブレット端末等が使用される。オペレータ端末３は、予め会員として登録されたクラウドオペレータ（以下「オペレータ」という。）が所持する端末である。オペレータ端末３としては、パソコン、ワークステーション等が使用される。
【００４４】
（１）クラウドサーバ
図２は、図１のクラウドサーバ１の機能構成を示すブロック図である。クラウドサーバ１は、ユーザ情報データベース５、商品情報データベース６、オペレータ情報データベース７、連画情報データベース８、ジョブ情報データベース９、画像ファイル記憶部１０、ジョブ公開ホームページ記憶部１１、通信Ｉ／Ｆ１２、ユーザログイン手段１３、コマ画像受信手段１４、規格画像判定手段１５、コマ画像登録手段１６、ジョブレコード追加手段１７、オペレータログイン手段１８、ジョブリスト作成手段１９、ジョブリスト公開手段２０、作業オペレータ登録手段２１、コマ画像検索手段２２、作業画像送信手段２３、ジョブレコード更新手段２４、ジョブリスト更新手段２５、補正画像更新手段２６、コマ画像配信手段２７、公開切替手段２８、連画削除手段２９、連画追加手段３０を備えている。これらは、通信Ｉ／Ｆ１２以外は、大きく分けて、データベース機能、コマ画像登録処理機能、コマ画像補正・検査処理機能、及び連画閲覧・登録・削除機能のブロック群に区分される。通信Ｉ／Ｆ１２は、クラウドサーバ１が通信回線４を介して、ユーザ端末２やオペレータ端末３とデータ通信を行う際のインタフェースである。各機能ブロックは、記録媒体に記録されたクラウドサーバ用プログラムを、クラウドサーバ１を構成するコンピュータに読み込ませて実行することによって、該コンピュータ内に機能的に構成される。以下、上記各ブロック群の各構成について説明する。
【００４５】
（１．１）データベース機能ブロック群
クラウドサーバ１は、データベース機能ブロック群として、ユーザ情報データベース５、商品情報データベース６、オペレータ情報データベース７、連画情報データベース８、ジョブ情報データベース９、画像ファイル記憶部１０、ジョブ公開ホームページ記憶部１１を備える。
【００４６】
ユーザ情報データベース５は、ユーザＩＤ，ユーザ名などのユーザ情報が登録されたデータベースである。商品情報データベース６は、ユーザが使用する化粧品や塗布薬などの商品に関する情報が登録されたデータベースである。オペレータ情報データベース７は、オペレータＩＤ，オペレータ名などのユーザ情報が登録されたデータベースである。ここで、「オペレータ」とは、ユーザから送信されるコマ画像の補正作業及び検査作業を行う者をいう。連画情報データベース８は、ユーザから送信されるコマ画像、当該コマ画像の撮影日時、連画ＩＤ、当該コマ画像を送信したユーザのユーザＩＤ等が登録されるデータベースである。連画情報データベース８は、各コマ画像を時系列に関連づけたコマ撮り連続画像（以下「連画」という。）のデータ管理を行うためのデータベースである。ジョブ情報データベース９は、ユーザから送信されるコマ画像に対する一連の補正作業及び検査作業のジョブ（補正検査ジョブ）に関する情報をジョブレコードとして管理するデータベースである。画像ファイル記憶部１０は、ユーザから送信されるコマ画像及びそれを補正した補正画像を記憶し保存する。ジョブ公開ホームページ記憶部１１は、各オペレータ端末３から通信回線４を介してアクセス可能なジョブ公開ホームページのデータ（ＨＴＭＬやＸＭＬ等のデータ）を記憶する。
【００４７】
図３に、これらのデータベース群の構造をＥＲ図（IDEF1X記法）により示す。尚、図２，図３では、説明の便宜上、ユーザ情報データベース５、商品情報データベース６、オペレータ情報データベース７、連画情報データベース８、ジョブ情報データベース９の各データベースを独立したデータベースに分けて記載しているが、実際に設計する際には、１つのリレーショナル・データベースとして構成してもよい。
【００４８】
ユーザ情報データベース５は、ユーザの情報を管理するデータベースであり、ユーザテーブルを備えている。ユーザテーブルは、“ユーザＩＤ”，“ユーザ名”，“メールアドレス”，“ポイント（点数）”，“アクセスレベル”，“パスワード”，“年齢層”，“性別”の各フィールを有するユーザテーブルを備えている。“ユーザＩＤ”は各ユーザに固有に割り当てられる識別符号、“ユーザ名”はユーザの氏名、“メールアドレス”はユーザのメールアドレス、“ポイント（点数）”はユーザが取得したポイント、“アクセスレベル”はユーザのアクセス権限に関する情報である。“パスワード”は、当該ユーザのログイン時のパスワードである。“年齢層”は、当該ユーザの年齢層（「２０歳代」，「３０歳代」等）、“性別”は当該ユーザの性別である。
【００４９】
商品情報データベース６は、商品情報を管理するデータベースであり、商品テーブル及びメーカテーブルを備えている。メーカテーブルは、“メーカＩＤ”、“メーカ名”、“ホームページＵＲＬ”の各フィールを有する。“メーカＩＤ”は化粧品や塗布薬等の商品を製造・販売するメーカに固有に割り当てられる識別符号、“メーカ名”はメーカの名称、“ホームページＵＲＬ”はメーカのホームページのＵＲＬの情報である。
【００５０】
商品テーブルは、“商品ＩＤ”、“商品名”、“型番”、“メーカＩＤ”、“ホームページＵＲＬ”、“ランキングスコア”、“登録商品フラグ”の各フィールを有する。“商品ＩＤ”は化粧品や塗布薬等の商品に固有に割り当てられる識別符号、“商品名”は商品の名称、“型番”はメーカが付している商品の型番、“メーカＩＤ”は商品を製造・販売するメーカのメーカＩＤ、“ホームページＵＲＬ”は商品を広告又は紹介するホームページのＵＲＬの情報、“ランキングスコア”はユーザ等が評価した商品のランキングスコア、“登録商品フラグ”はその商品の販売を管理者自身が取り扱っているか否かを示すフラグである。
【００５１】
オペレータ情報データベース７は、オペレータの情報を管理するデータベースであり、クラウドオペレータテーブルを備えている。クラウドオペレータテーブルは、“オペレータＩＤ”、“氏名”、“連絡先”、“技能レベル”、“作業件数情報”、“パスワード”の各フィールを有する。“オペレータＩＤ”はそれぞれのオペレータごとに割り当てられる固有の識別番号、“氏名”はオペレータの氏名、“連絡先”はオペレータの連絡先、“技能レベル”はオペレータの技能レベル（Ａ〜Ｄの４ランクで指定）、“作業件数情報”はオペレータが補正作業又は検査作業を行った件数に関する情報である。“作業件数情報”は、オペレータの作業労働に対して賃金を支払う際の賃金の計算に使用される。“パスワード”は、当該ユーザのログイン時のパスワードである。オペレータの技能レベルについては、オペレータの作業経験の度合いによって、システム管理者によって各オペレータに割り当てられる。オペレータが作業経験を積むにつれて技能レベルはＡ，Ｃ，Ｂ，Ｄの準に上昇する。
【００５２】
連画情報データベース８は、コマ画像の時系列集合である連画の情報を管理するデータベースであり、連画情報テーブル及び画像管理テーブルを備えている。連画情報テーブルは、“連画ＩＤ”，“連画名”，“ユーザＩＤ”，“商品ＩＤ”，“評価ランク”，“公開／非公開フラグ”，“メーカ商品番号”，“撮影箇所”，“コメント”の各フィールを有する。“連画ＩＤ”はそれぞれの連画ごとに付される固有の識別番号、“連画名”は連画の名称（タイトル）、“ユーザＩＤ”は連画を登録したユーザのユーザＩＤ、“商品ＩＤ”はその連画に関連する商品（ここでは、化粧品や塗布薬等）の商品ＩＤ、“メーカ商品番号”はその連画に関連する商品にメーカ側が個別商品毎に付している商品番号（製造番号）、 “評価ランク”は連画に対する評価ランク、“公開／非公開フラグ”は連画を一般公開するか否かの識別フラグであり、「１」（True）が公開、「０」」（False）が非公開を表す。“撮影箇所”は、当該連画の撮影箇所（「手掌」，「手背」，「上腕」等）、“コメント”は、当該連画に対するコメントである。
【００５３】
画像管理テーブルは、“画像ＩＤ”，“ファイル名”，“撮影日時”，“連画ＩＤ”，“レンズコード”，“暗号化レベル”の各フィールを有する。“画像ＩＤ”はそれぞれのコマ画像ごとに付される固有の識別番号、“ファイル名”は画像ファイル記憶部１０に保存されたコマ画像のファイル名、“撮影日時”はコマ画像が撮影された日時、“連画ＩＤ”はコマ画像が属する連画の連画ＩＤ、“レンズコード”はコマ画像が所定の接写レンズを用いて撮影された画像（規格画像）であるか否かを識別するためのコード（１以上：規格画像，０：規格画像以外）、“暗号化レベル”は画像ファイル記憶部１０に保存されたコマ画像の暗号化形式を示す情報である。なお、上記“撮影日時”は、実際に撮影された日時でもよいが、そのコマ画像がユーザ端末２からクラウドサーバ１へ送信された日時や、クラウドサーバ１がそのコマ画像を受信した日時を撮影日時として使用してもよい。
【００５４】
ジョブ情報データベース９は、補正作業及び検査作業のジョブ（補正検査ジョブ）の情報を管理するデータベースであり、ジョブテーブルを備えている。ジョブテーブルは、“ジョブＩＤ”、“画像ＩＤ”、“オペレータＩＤ”、“作業深度”、“ジョブ登録日”、“公開フラグ”、“補正トランザクションデータ”の各フィールを有する。“ジョブＩＤ”は、各補正検査ジョブに対して固有に割り当てられる識別番号、“画像ＩＤ”は補正検査ジョブの対象であるコマ画像の画像ＩＤ、“オペレータＩＤ”は補正検査ジョブを現在担当しているオペレータのオペレータＩＤ、“作業深度”は補正検査ジョブの深度（Ａ、Ｂ，Ｃ，Ｄの４段階）、“ジョブ登録日”は補正検査ジョブがジョブテーブルに登録された日時、“公開フラグ”は補正検査ジョブを全オペレータに公開するか否かのフラグ（「１」が公開，「０」が非公開）、“補正トランザクションデータ”は補正検査ジョブの対象であるコマ画像に対して行われた補正処理（平行移動、回転等の処理）のトランザクションデータである。ここで、「トランザクションデータ」とは、画像に対して行われる一連の単位変換処理の順列を、各単位変換処理コマンドの順列として表したデータをいう。
【００５５】
これらの各テーブルは、それぞれのキーフィールドによって、図３のＥＲ図に示したように関連づけられている。また、画像管理テーブルの“ファイル名”は、画像ファイル記憶部１０に記憶されたコマ画像の画像ファイルのファイル名と、１対１に対応付けられている。
【００５６】
（１．２）コマ画像登録処理機能ブロック群
クラウドサーバ１は、コマ画像登録処理機能ブロック群として、ユーザログイン手段１３、コマ画像受信手段１４、規格画像判定手段１５、コマ画像登録手段１６、ジョブレコード追加手段１７を備える。
【００５７】
ユーザログイン手段１３は、各ユーザ端末２を所持するユーザが、クラウドサーバ１に対してログインする際の処理を行う。このログイン処理により、クラウドサーバ１にアクセスしているユーザ端末２のユーザのユーザＩＤが、クラウドサーバ１において特定される。
【００５８】
コマ画像受信手段１４は、ログインしたユーザのユーザ端末２から送信されるコマ画像に関する情報（コマ画像、当該コマ画像の撮影日時、当該コマ画像に対応する連画ＩＤ）を受信し、当該コマ画像を画像ファイル記憶部１０に保存する。
【００５９】
規格画像判定手段１５は、コマ画像受信手段１４が受信したコマ画像が、所定の接写レンズ（専用接写レンズ）を用いて撮影された画像（規格画像）であるか否かを判定し、レンズコードを決定する。「レンズコード」とは、規格画像であるか否かを識別するためのコードであり、０，１の値をとり、１以上は規格画像，０は規格画像以外を意味する。尚、専用接写レンズが複数種類ある場合には、それぞれの専用接写レンズの種類毎に、１以上の固有のレンズコードが割り当てられる。
【００６０】
コマ画像登録手段１６は、コマ画像受信手段１４が受信したコマ画像を、当該ユーザ端末２のユーザのユーザＩＤ、当該コマ画像に対応するファイル名（コマ画像受信手段１４が当該コマ画像を画像ファイル記憶部１０に保存した際のファイル名）、暗号化コード（コマ画像受信手段１４が当該コマ画像を画像ファイル記憶部１０に保存した際の画像ファイルの暗号化方式）、連画ＩＤ、撮影日時、レンズコードに対応させて連画情報データベース８の画像管理テーブルに登録する。
【００６１】
ジョブレコード追加手段１７は、コマ画像受信手段１４が受信したコマ画像を、規格画像判定手段１５が規格画像であると判定した場合、当該コマ画像に関する補正検査ジョブのジョブレコードをジョブ情報データベース９のジョブテーブルに追加する。このとき、“作業深度”は初期値Ａに設定される。
【００６２】
（１．３）コマ画像補正・検査処理機能ブロック群
クラウドサーバ１は、コマ画像補正・検査処理機能ブロック群として、オペレータログイン手段１８、ジョブリスト作成手段１９、ジョブリスト公開手段２０、作業オペレータ登録手段２１、コマ画像検索手段２２、作業画像送信手段２３、ジョブレコード更新手段２４、ジョブリスト更新手段２５、補正画像更新手段２６を備える。
【００６３】
オペレータログイン手段１８は、各オペレータ端末３を所持するオペレータが、クラウドサーバ１に対してログインする際の処理を行う。このログイン処理により、クラウドサーバ１にアクセスしているオペレータ端末３のオペレータのオペレータＩＤが、クラウドサーバ１において特定される。
【００６４】
ジョブリスト作成手段１９は、ジョブ情報データベース９のジョブテーブルに登録された各ジョブレコードのリストであるジョブ公開リストを作成する。このとき、ジョブリスト作成手段１９は、各ジョブレコードの作業深度Ａ，Ｂ，Ｃ，Ｄごとに、４つの個別のジョブ公開リストを作成する。
【００６５】
ジョブリスト公開手段２０は、ログインしたオペレータ端末３から通信回線４を介してアクセス可能なジョブ公開ホームページに、ジョブリスト作成手段１９により作成されたジョブリストを公開する。
【００６６】
作業オペレータ登録手段２１は、ログインしたオペレータ端末３から、或る補正検査ジョブＪを選択するジョブ選択要求が送信された場合、ジョブ情報データベース９のジョブテーブルにおける当該補正検査ジョブＪのジョブレコードの“オペレータＩＤ”フィールドに、当該オペレータ端末３のオペレータのオペレータＩＤを登録し、ジョブ公開リストから当該補正検査ジョブＪを削除する（又は前記ジョブ公開リストの当該補正検査ジョブを選択不可とする）。ここで、「ジョブ選択要求」とは、ジョブ公開ホームページのジョブリストに公開された補正検査ジョブの中から一の補正検査ジョブを選択する要求をいう。
【００６７】
コマ画像検索手段２２は、連画情報データベース８の画像管理テーブルから、ジョブ選択要求により選択されたジョブレコードのコマ画像の情報（当該ジョブレコードのコマ画像ＩＤに対応する、画像管理テーブル内のレコード（コマ画像レコード））を索出し、当該コマ画像に対応する連画ＩＤ（索出したコマ画像レコードの連画ＩＤ）と同じ連画ＩＤを有する過去のコマ画像の情報（コマ画像レコード）を、連画情報データベース８の画像管理テーブルから索出する。
【００６８】
作業画像送信手段２３は、コマ画像検索手段２２により索出された、ジョブ選択要求で選択されたジョブレコードのコマ画像の情報（コマ画像の画像ファイル，撮影日時を含む情報）を、当該ジョブ選択要求を発信したオペレータ端末３に送信する。また、コマ画像検索手段２２により、当該ジョブ選択要求で選択されたジョブレコードのコマ画像に対応する過去のコマ画像（同じ連画ＩＤの過去のコマ画像）の情報が索出された場合には、当該過去のコマ画像の情報を当該オペレータ端末３に送信する。
【００６９】
ジョブレコード更新手段２４は、ログインしたオペレータのオペレータ端末３から補正画像の情報（補正トランザクションデータ）を受信した場合、当該補正画像の情報に対応するジョブレコード（“オペレータＩＤ”フィールドに当該オペレータのオペレータＩＤが登録されているジョブレコード）のコマ画像の情報（“補正トランザクションデータ”フィールド）を当該補正画像の情報に更新し、当該ジョブレコードの現在の作業深度に応じて、所定の遷移規則に従って当該ジョブレコードの作業深度を次の作業深度に遷移させる処理を行う。また、ログインしたオペレータのオペレータ端末３から補正画像の検査結果（補正の合否結果）に関する情報（検査結果情報）を受信した場合、当該ジョブレコードの現在の作業深度及び当該検査結果情報に応じて、所定の遷移規則に従って当該ジョブレコードの作業深度を次の作業深度に遷移させる処理を行う。
【００７０】
ジョブリスト更新手段２５は、ジョブレコード更新手段２４によりジョブ情報データベース９のジョブテーブル内のジョブレコードの作業深度が更新されたとき、更新後の当該ジョブレコードの作業深度に対応するジョブ公開リストに、当該ジョブレコードを登録する処理を行う。
【００７１】
補正画像更新手段２６は、ジョブレコード更新手段２４により更新されるジョブレコードの作業深度が、最終深度に達したときに、連画情報データベース８の画像管理テーブルに登録された対応するコマ画像レコードの画像ファイル（画像ファイル記憶部１０内に保存されている。）を、当該ジョブレコードの補正画像の情報（補正トランザクションデータ）に基づき更新する。
【００７２】
（１．４）連画閲覧・登録・削除機能ブロック群
クラウドサーバ１は、連画閲覧機能ブロック群として、コマ画像配信手段２７、公開切替手段２８、連画削除手段２９、連画追加手段３０を備える。
【００７３】
コマ画像配信手段２７は、ログインしたユーザのユーザ端末２からの特定の連画ＩＤに対する画像の配信要求を受信すると、当該ユーザの当該連画ＩＤの各コマ画像を連画情報データベース８から索出し、索出されたコマ画像及びそのコマ画像の撮影日時を当該ユーザのユーザ端末２に対し通信回線４を介して配信する。
【００７４】
公開切替手段２８は、ユーザ端末２から、公開／非公開の切替指示及び対象の連画ＩＤを受信すると、連画情報データベース８の連画情報テーブルの当該連画ＩＤの連画情報レコードの“公開／非公開フラグ”を切り替える。
【００７５】
連画削除手段２９は、ユーザ端末２から、連画削除指示及び対象の連画ＩＤを受信すると、連画情報データベース８の連画情報テーブルの当該連画ＩＤの連画情報レコードを削除する。
【００７６】
連画追加手段３０は、ユーザ端末２から、連画登録指示、ユーザ情報及び連画情報を受信すると、連画情報データベース８の連画情報テーブルに当該連画情報レコードを追加する。
【００７７】
（２）ユーザ端末
図４は、図１のユーザ端末２の機能構成を示すブロック図である。ユーザ端末２は、通信Ｉ／Ｆ３１、入力手段３２、表示手段３３、カメラ３４、連画情報データベース３５、画像ファイル記憶部３６、商品情報データベース３７、ユーザログイン手段３８、ＨＰダウンロード手段３９、連画選択手段４０、画像取得手段４１、コマ画像送信手段４２、配信要求手段４３、連画情報受信手段４４、連画表示手段４５、公開切替指示手段４６、連画削除指示手段４７、連画追加指示手段４８を備えている。
【００７８】
通信Ｉ／Ｆ３１は、ユーザ端末２が通信回線４を介してクラウドサーバ１とデータ通信を行う際のインタフェースである。入力手段３２は、キーボードやタッチパネルなど、ユーザがユーザ端末２に対して指示を入力する装置である。表示手段３３は、ディスプレイなどである。デジタルカメラ３４は、ユーザ端末２に附属する撮像装置である。後述するように、カメラ３４には、レンズアタッチメントとして、撮影対象とレンズとの距離を一定の距離に維持するスペーサを具備する専用接写レンズが取り附けられる。
【００７９】
連画情報データベース３５は、ユーザがクラウドサーバ１からダウンロードする各コマ画像を時系列に関連づけた連画のデータ管理を行うためのデータベースである。画像ファイル記憶部３６は、ユーザがクラウドサーバ１からダウンロードする各コマ画像の画像ファイルを記憶する。商品情報データベース３７は、連画情報データベース３５で管理される連画に対応する商品に関する情報が登録されたデータベースである。連画情報データベース３５及び商品情報データベース３７は、ＸＭＬデータベースなどにより構成される。図５に、これらのデータベースの構造をＥＲ図（IDEF1X記法）により示す。
【００８０】
連画情報データベース８は、クラウドサーバ１からダウンロードしたコマ画像の時系列集合である連画の情報を管理するデータベースであり、連画情報テーブル及び画像管理テーブルを備えている。連画情報テーブルは、“連画ＩＤ”，“連画名”，“商品ＩＤ”の各フィールを有する。“連画ＩＤ”はそれぞれの連画ごとに付される固有の識別番号、“連画名”は連画の名称（タイトル）、“商品ＩＤ”はその連画に関連する商品（ここでは、化粧品や塗布薬等）の商品ＩＤである。
【００８１】
画像管理テーブルは、“画像ＩＤ”，“ファイル名”，“撮影日時”，“連画ＩＤ”，の各フィールを有する。“画像ＩＤ”はそれぞれのコマ画像ごとに付される固有の識別番号、“ファイル名”は画像ファイル記憶部１０に保存されたコマ画像のファイル名、“撮影日時”はコマ画像が撮影された日時、“連画ＩＤ”はコマ画像が属する連画の連画ＩＤである。
【００８２】
商品情報データベース６は、商品情報を管理するデータベースであり、商品テーブルを備えている。商品テーブルは、“商品ＩＤ”、“商品名”、“型番”、“メーカ名”、“ホームページＵＲＬ”、“ランキングスコア”、“登録商品フラグ”の各フィールを有する。“商品ＩＤ”は化粧品や塗布薬等の商品に固有に割り当てられる識別符号、“商品名”は商品の名称、“型番”はメーカが付している商品の型番、“メーカ名”は商品を製造・販売するメーカのメーカ名称、“ホームページＵＲＬ”は商品を広告又は紹介するホームページのＵＲＬの情報、“ランキングスコア”はユーザ等が評価した商品のランキングスコアである。
【００８３】
ユーザログイン手段３８は、各ユーザ端末２を所持するユーザが、クラウドサーバ１に対してログインする際のログイン処理を行う。ＨＰダウンロード手段３９は、クラウドサーバ１が送信するホームページの情報をダウンロードする。
【００８４】
連画選択手段４０は、ＨＰダウンロード手段３９によりダウンロードされたホームページに掲載される、当該ユーザの連画リストを表示手段３３に表示し、ユーザが入力手段３２によりコマ画像を追加登録する連画を選択すると、その連画の連画ＩＤをカレント連画ＩＤに設定する。また、ユーザが新規連画作成指示及びその連画名を入力すると、クラウドサーバ１に対して新規連画登録要求及びその連画名を送信し、クラウドサーバ１のコマ画像受信手段１４から送信される新規連画の連画ＩＤを受信すると、その連画ＩＤをカレント連画ＩＤに設定する。
【００８５】
画像取得手段４１は、デジタルカメラ３４によりコマ画像のデータを取得する。コマ画像送信手段４２は、画像取得手段４１で取得されたコマ画像に関する情報（コマ画像、当該コマ画像の撮影日時、当該コマ画像に対応する連画ＩＤ）をクラウドサーバ１に送信する。
【００８６】
配信要求手段４３は、クラウドサーバ１に対して、ユーザが指定する連画ＩＤに対するコマ画像の配信要求を送信する。
【００８７】
連画情報受信手段４４は、配信要求手段４３が送信する配信要求に対してクラウドサーバ１から送信される当該連画ＩＤの各コマ画像及びそのコマ画像の撮影日時を受信し、当該コマ画像を画像ファイル記憶部に保存し、当該連画ＩＤに関連づけて当該コマ画像のファイル名及び撮影日時を連画情報データベース３５に登録する。
【００８８】
連画表示手段４５は、ユーザにより表示指示及び表示する連画ＩＤが指定されると、当該連画ＩＤに対するコマ画像を連画情報データベース３５及び画像ファイル記憶部３６から抽出し、これらを撮影日時の順に並べた連画として表示手段３３に表示する。
【００８９】
公開切替指示手段４６は、ユーザにより連画の公開／非公開の切替指示が入力されると、当該切替指示及び当該切替指示の対象である連画情報レコードの連画ＩＤを、クラウドサーバ１へ送信する。
【００９０】
連画削除指示手段４７は、ユーザにより連画削除指示が入力されると、当該連画削除指示及び当該連画削除指示の対象である連画情報レコードの連画ＩＤを、クラウドサーバ１へ送信する。
【００９１】
連画追加指示手段４８は、ユーザにより連画登録指示が入力されると、当該連画登録指示、ユーザ情報及び連画情報を、クラウドサーバ１へ送信する。
【００９２】
図６は、ユーザ端末２のデジタルカメラ３４に装着される接写レンズ（専用接写レンズ）を示す図である。図６（ａ）は接写レンズ５０の本体を示す図、図６（ｂ）はクリップ５６により接写レンズ５０をユーザ端末２に取り付けている状態を示す図、図６（ｃ）は接写レンズ５０をユーザ端末２に取り付けた状態を表す断面模式図、図６（ｄ）が接写レンズ５０を用いてユーザ端末２により被写体を撮影している状態を表す図である。
【００９３】
接写レンズ５０は、クリップ５６により、ユーザ端末２のデジタルカメラ３４のレンズ前方に装着される。接写レンズ５０は、撮影対象とレンズとの距離を一定の距離に維持するスペーサ５１を具備する。スペーサ５１は、一端にデジタルカメラ３４のレンズ前方に装着する装着部５２が形成され他端が開口した円筒形状の透明部材で形成されている。装着部５２は、基端側の外壁面に、クリップ５６に螺着するための取り付けネジ５２ａが刻設されており、中央に窓穴５３が開口し、この窓穴５３に対物レンズである第１レンズ５４が嵌着されている。また、クリップ５６には、接写レンズ５０の第１レンズ５４とデジタルカメラ３４のレンズとの中間位置に、第２レンズ５５を備えている（図６（ｃ）参照）。
【００９４】
ユーザ端末２においてコマ画像を撮影する際には、図６（ｄ）のように、スペーサ５１の先端を被写体に当接させた状態とし、この状態でデジタルカメラ３４により撮影する。これにより、デジタルカメラ３４と被写体との距離は常に一定となるため、ユーザが撮影するコマ画像ごとに拡大率がバラバラとなるようなことがなく、常に一定の倍率で撮影されたコマ画像がクラウドサーバ１へ送信されることになる。
【００９５】
また、クラウドサーバ１側に於いて、送信されたコマ画像が専用の接写レンズ５０を用いて撮影されたものであるか否かを識別できるようにするため、接写レンズ５０の被写域内に、被写域の周縁に位置する部分に沿って、周縁全体に亘って、所定のパターン形状の識別マークが付されている。識別マークは、スペーサ５１の先端面、スペーサ５１の先端近傍の内壁、第１レンズ５４の表面などに、暗色不透明のインク等により印刷したり、刻印したりして付される。また、「所定のパターン形状」としては、例えば、長さが１：２の２種類の円弧線分が交互に連続する一点鎖線状の周期パターンなどが用いられる。
【００９６】
図７に、識別マークの例を示す。図７の例では、識別マークは、接写レンズ５０の第１レンズ５４の周縁近傍に、長さが１：２の２種類の円弧線分が交互に連続する一点鎖線の円として刻印されている。
【００９７】
（３）オペレータ端末
図８は、図１のオペレータ端末３の機能構成を示すブロック図である。ユーザ端末２は、通信Ｉ／Ｆ６１、入力手段６２、表示手段６３、コマ画像記憶手段６４、オペレータログイン手段６５、ジョブリスト受信手段６６、ジョブ選択手段６７、コマ画像受信手段６８、補正作業画面表示手段６９、対話補正処理手段７０、及び補正画像送信手段７１を備えている。
【００９８】
通信Ｉ／Ｆ６１は、オペレータ端末３が通信回線４を介してクラウドサーバ１とデータ通信を行う際のインタフェースである。入力手段６２は、キーボード、マウス、タッチパネルなど、オペレータがオペレータ端末３に対して指示を入力する装置である。表示手段６３は、ディスプレイなどである。
【００９９】
コマ画像記憶手段６４は、オペレータ端末３においてクラウドサーバ１からダウンロードされた各コマ画像の画像ファイルを記憶する。オペレータログイン手段６５は、各オペレータ端末３を所持するオペレータが、クラウドサーバ１に対してログインする際のログイン処理を行う。
【０１００】
ジョブリスト受信手段６６は、通信回線４を介して、クラウドサーバ１が公開するジョブ公開ホームページのジョブリストを受信する。ジョブ選択手段６７は、ジョブリスト受信手段６６がジョブリストを受信すると、オペレータに対してジョブリストからジョブレコードを選択するよう促す表示を表示手段６３に表示する。また、ジョブ選択手段６７は、それに対しオペレータが入力手段６２から、特定のジョブレコードを選択するジョブ選択要求を入力すると、そのジョブ選択要求を、通信回線４を介してクラウドサーバ１に送信する。
【０１０１】
コマ画像受信手段６８は、ジョブ選択手段６７が送信したジョブ選択要求に対して、クラウドサーバ１から送信される一乃至複数のコマ画像の情報（コマ画像，撮影日時，補正トランザクションデータ）を受信し、コマ画像記憶手段６４に保存する。補正作業画面表示手段６９は、表示手段６３に所定の補正作業画面を表示するとともに、当該補正作業画面内に、コマ画像受信手段６８が受信したコマ画像を表示する。このとき、コマ画像に補正トランザクションデータが付随している場合には、当該補正トランザクションデータによりコマ画像を補正した状態として表示する。
【０１０２】
対話補正処理手段７０は、補正作業画面を用いたオペレータとの対話処理により、コマ画像に対する補正処理を実行し、補正画像の作成を行う。補正画像送信手段７１は、対話補正処理手段７０により補正画像が作成されると、通信回線４を介して、クラウドサーバ１に当該補正画像の情報（補正トランザクションデータ）を送信する。
【０１０３】
〔２〕システムの動作
以上のように構成された本実施例に係るコマ撮り連続画像作成システムにおいて、以下その動作を説明する。本実施例に係るコマ撮り連続画像作成システムの動作は、（１）各ユーザ端末２においてユーザがデジタルカメラ３４でコマ画像を撮影し、クラウドサーバ１へアップロードし登録するコマ画像登録処理、（２）クラウドサーバ１が各オペレータ端末３へアップロードされたコマ画像を公開し、各オペレータ端末３においてオペレータがコマ画像の補正・検査作業を行ってクラウドサーバ１に登録されたコマ画像を連画に使用可能な状態に補正するコマ画像補正・検査処理、（３）各ユーザ端末２のユーザが、クラウドサーバ１に登録された補正されたコマ画像を、連画としてダウンロードし閲覧する連画配信・閲覧処理、に大別される。以下、（１）〜（３）の各処理について順次詳細に説明する。
【０１０４】
（１）コマ画像登録処理
図９は、本実施例に係るコマ撮り連続画像作成システムにおけるコマ画像登録処理を表すフローチャートである。図１０は、ユーザ端末２に表示される表示画面の遷移を表す図である。
【０１０５】
まず、ユーザ端末２においてユーザがクラウドサーバ１に対してログインを行う（Ｓ１０１，Ｓ２０１）。この際、ユーザ端末２とクラウドサーバ１の間に於いて、ログイン処理が行われる。ユーザ端末２のユーザログイン手段３８は、表示手段３３に、図１０（ａ）に示すようなログイン画面を表示させ、ユーザが入力手段３２により、ユーザＩＤ及びパスワードを入力すると、ユーザログイン手段３８は、これをクラウドサーバ１へ送信する（Ｓ１０１）。クラウドサーバ１のユーザログイン手段１３は、ユーザ端末２からユーザＩＤ及びパスワードを受信すると、当該ユーザＩＤに対して、ユーザ情報データベース５のユーザテーブルの“パスワード”と照会し、パスワードが正しければ、当該ユーザ端末２をログイン状態とする（Ｓ２０１）。
【０１０６】
当該ユーザ端末２がログイン状態になると、クラウドサーバ１において、ユーザログイン手段１３は、連画情報データベース８の連画情報テーブルから、当該ユーザＩＤの連画情報レコード、及び“公開／非公開フラグ”が「１」（公開）の連画情報レコードを索出し、索出された各連画情報レコードに対応するコマ画像情報を画像管理テーブルから索出し、これらの連画情報を当該ユーザ端末２へ送信する（Ｓ２０２）。当該ユーザ端末２のユーザログイン手段３８は、連画情報を受信すると、これらをリストとして、図１０（ｂ），（ｃ）に示すような表示画面を、表示手段３３に表示する（Ｓ１０２）。図１０（ｂ）は、公開された連画情報レコード（“公開／非公開フラグ”が「１」の連画情報レコード）のリストを表示する表示画面、図１０（ｃ）は、ログインしたユーザのユーザＩＤの連画情報レコード（“公開／非公開フラグ”が「０」（非公開）の連画情報レコードも含む。）のリストを表示する表示画面である。図１０（ｂ），（ｃ）の表示画面は、ユーザの入力手段３２からの操作によって、交互に切り換えが可能である。
【０１０７】
図１１は、図１０（ｂ），（ｃ）の表示画面の詳細項目の一例を具体的に表した図である。図１１（ａ）が図１０（ｂ）の表示画面、図１１（ｂ）が図１０（ｃ）の画面に対応する。図１１は、ユーザ端末２にスマートフォンが使用された場合の表示画面の例であり、図１１（ａ），（ｂ）において、右側画面１００はデフォルトでディスプレイ上に表示される部分、左側画面１０１（「Flicking-left side」の部分）は、右方向に画面をフリックした際に表示される部分を表している。
【０１０８】
右側画面１００には、連画情報レコードのリストが表示される。連画情報レコードのリストの各欄には、左側に当該連画情報レコードのコマ画像を表示するコマ画像フレーム１０３、右側に当該連画情報レコードの付随情報リスト１０４（連画ＩＤ（Folder ID），最終撮影日（Date of last shoot），連画名（name），撮影箇所（Shooting target），使用した商品（Product），ユーザの年齢層（Age range），性別（Gender），コメント（Comment））が表示される。コマ画像フレーム１０３には、当該連画ＩＤを有するコマ画像の枚数が表示される。この連画情報レコードのリストは、ユーザが上下方向にフリック又はスワイプすることによって、連画情報レコードを上下にスクロールさせることができる。図１２に、具体的な連画情報レコードのリストの例を示す。
【０１０９】
また、右側画面１００の右上隅には、リスト切替ボタン１０２が表示されている。リスト切替ボタン１０２をタップすると、「公開された連画情報レコードのリスト」（図１１（ａ）。以下「パブリック・リスト」という。）と「ログイン・ユーザの連画情報レコードのリスト」（図１１（ｂ）。以下「プライベート・リスト」という。）との切り換えが行われる。右側画面１００の左上には、現在表示されている連画情報レコードのリストが、パブリック・リスト（Public）か、プライベート・リスト（Private）のリスト種別１０２ａが表示される。
【０１１０】
左側画面１０１は、連画情報レコードの検索画面であり、検索条件入力欄１０５と検索ボタン１０６が表示されている。検索条件入力欄１０５に、連画を検索する際の検索キーを入力して検索ボタン１０６をタップすれば、当該検索キーにより検索された連画情報レコードが、右側画面１００の連画情報レコードのリストに表示される。その他、左側画面１０１には、商品評価入力ボタン１０７（連画情報レコードの商品に対するユーザの評価を入力するためのボタン），商品購入ボタン１０８（連画情報レコードの商品を購入するためのボタン），ニュース表示ボタン１０９（連画情報レコードの商品に関するニュースを表示するためのボタン）も表示されるが、これらは本発明には直接関係がないため、説明は省略する。
【０１１１】
表示画面にパブリック・リストが表示されている状態（パブリック表示状態）に於いては、ユーザがコマ画像フレーム１０３をタップすると、図１０（ｅ）の連画閲覧画面に切り替わる。この連画閲覧機能に関しては後述する。
【０１１２】
表示画面にプライベート・リストが表示されている状態（プライベート表示状態）に於いては、プライベート・リストの各欄において、コマ画像フレーム１０３の下に公開スイッチ１１０が表示される。ユーザが公開スイッチ１１０をタップすることによって、その連画情報レコードを、当該ユーザ以外にも閲覧可能な公開状態（パブリック状態）とするか、当該ユーザのみが閲覧可能な非公開状態（プライベート状態）とするかを、切り替えることができる。ユーザが公開スイッチ１１０をタップして、連画情報レコードのパブリック状態／プライベート状態の切り換えを行うと、ユーザ端末２の公開切替指示手段４６が、その切り換えを指示する切替指示及び当該連画情報レコードの連画ＩＤを、クラウドサーバ１へ送信する。クラウドサーバ１においては、ユーザ端末２から公開／非公開の切替指示及び対象の連画ＩＤを受信すると、公開切替手段２８が、その切替指示に従って、連画情報データベース８の連画情報テーブルの当該連画ＩＤの連画情報レコードの“公開／非公開フラグ”を切り替える。
【０１１３】
また、プライベート表示状態に於いては、左方向に画面をフリックすると、プライベート・リストの各欄の右側に、連画情報レコード削除ボタン１１１が表示される。ユーザが連画情報レコード削除ボタン１１１をタップすることによって、その連画情報レコードを削除することができる。具体的には、連画情報レコード削除ボタン１１１がタップされると、ユーザ端末２の連画削除指示手段４７は、図１１（ｃ）のような、ユーザＩＤ及びパスワードの入力を求めるポップアップを表示する。ユーザがユーザＩＤ及びパスワードを入力して、当該ポップアップ内の［Yes］ボタンをクリックすると、連画削除指示手段４７は、クラウドサーバ１のユーザログイン手段１３との間で、当該ユーザＩＤ及びパスワードの正否の照会を行い、当該ユーザＩＤ及びパスワードが正しい場合には、連画削除指示手段４７は、連画削除指示及び当該連画削除指示の対象である連画情報レコードの連画ＩＤを、クラウドサーバ１へ送信する。クラウドサーバ１においては、ユーザ端末２から連画削除指示及び対象の連画ＩＤを受信すると、連画削除手段２９が、連画情報データベース８の連画情報テーブルの当該連画ＩＤの連画情報レコードを削除する。なお、このときバックアップとして、削除された連画情報レコードの情報を、バックアップ用の別テーブルに残しておくように構成してもよい。
【０１１４】
また、プライベート表示状態に於いては、プライベート・リストの最下欄の下に、連画情報レコード追加ボタン１１２（［No Image］ボタン）が表示される。連画情報レコード追加ボタン１１２をタップすることによって、新しい連画情報レコードを追加することができる。具体的には、連画情報レコード追加ボタン１１２がタップされると、ユーザ端末２の連画追加指示手段４８は、図１１（ｄ）のような、ユーザ情報及び連画情報の入力を求めるポップアップを表示する。ユーザがユーザ情報及び連画情報を入力して、当該ポップアップ内の［Yes］ボタンをクリックすると、連画追加指示手段４８は、連画追加指示並びに当該ユーザ情報及び連画情報を、クラウドサーバ１へ送信する。クラウドサーバ１においては、ユーザ端末２から連画追加指示並びに当該ユーザ情報及び連画情報を受信すると、連画追加手段３０が、連画情報データベース８の連画情報テーブルに、連画情報レコードを追加し、当該ユーザ情報及び連画情報を作成した連画情報レコードに保存する。
【０１１５】
また、プライベート表示状態に於いて、ユーザによって、プライベート・リストの各欄のコマ画像フレーム１０３がタップされると、ユーザ端末２は、図１１（ｅ）のような、コマ画像の撮影（［撮る］ボタン）又は閲覧（［見る］ボタン）の選択を求めるポップアップを表示する。ここで、ユーザが［見る］ボタンをタップすると、図１０（ｆ）の連画閲覧画面に切り替わる。この連画閲覧機能に関しては後述する。一方、ユーザが［撮る］ボタンをタップすると、図１０（ｄ）のコマ画像撮影画面に切り替わる。
【０１１６】
図１３は、図１０（ｄ）のコマ画像撮影画面の一例及び撮影領域を具体的に表す図である。図１３のコマ画像撮影画面においては、中央に撮像フレーム１２０が表示され、その下部にシャッターボタン１２１が表示される。撮像フレーム１２０には、デジタルカメラ３４において現在撮像されている領域の画像が表示される。実際には、デジタルカメラ３４では、図１３（ｃ）に示すように、円形の識別マーク（図７参照）を含む四角形の領域領域を撮像するが、撮像フレーム１２０に表示されるのは、図１３（ｃ）に示すように、中央部の識別マークの内側の円形領域である。コマ画像撮影画面の撮像フレーム１２０の左上には、連画情報を示す連画情報リスト１２２が表示される。また、コマ画像撮影画面の上縁部には、左側に、プライベート・リストであることを示すリスト種別１２３、右端に戻るボタン１２４が表示される。ユーザが戻るボタン１２４をタップすると、図１０（ｃ）（図１１（ｂ））の表示画面に戻る。
【０１１７】
図９に戻って、上述したように、ユーザ端末２において、ユーザがプライベート・リストにある連画情報レコードの欄のコマ画像フレーム１０３をタップすることによって、ユーザ端末２において新たにコマ画像を追加撮影する連画の連画ＩＤが設定される（Ｓ１０３）。または、ユーザ端末２において、ユーザがプライベート・リストの下部の連画情報レコード追加ボタン１１２をタップして、新たな連画情報レコードを作成することにより、ユーザ端末２において新たにコマ画像を追加撮影する連画の連画ＩＤが設定される（Ｓ１０３，Ｓ２０３）。
【０１１８】
次いで、ユーザ端末２において、ユーザにより図１３（ａ）のシャッターボタン１２１がタップされると、画像取得手段４１は、タップされた時点におけるデジタルカメラ３４が撮像した画像を取得して、撮像フレーム１２０に固定表示し、図１３（ｂ）に示すように、撮像フレーム１２０の下部に、シャッターボタン１２１に代わり、送信ボタン１２５（［Yes］ボタン）及びやり直しボタン１２６（［No］ボタン）が表示する（Ｓ１０４）。ここで、ユーザによりやり直しボタン１２６（［No］ボタン）がタップされると、図１３（ａ）の表示画面に戻る。一方、ユーザにより送信ボタン１２５（［Yes］ボタン）がタップされると、コマ画像送信手段４２は、デジタルカメラ３４が撮像したコマ画像、及び当該コマ画像の撮影日時、当該コマ画像の連画ＩＤを、クラウドサーバ１へ送信する（Ｓ１０５）。ここで、クラウドサーバ１へ送信されるコマ画像は、デジタルカメラ３４が撮像した全体画像（図１３（ｃ）の四角形の領域全体の画像）である。
【０１１９】
クラウドサーバ１においては、コマ画像受信手段１４が、ユーザ端末２から通信回線４を介して送信されるコマ画像及び当該コマ画像の撮影日時、連画ＩＤを受信し、当該コマ画像を画像ファイル記憶部１０に保存する（Ｓ２０５）。
【０１２０】
次いで、コマ画像登録手段１６は、コマ画像受信手段１４が受信したコマ画像を、当該ユーザ端末２のユーザのユーザＩＤ、当該コマ画像に対応する連画ＩＤ及び撮影日時に対応させて、連画情報データベース８の画像管理テーブルに格納する（Ｓ２０６）。
【０１２１】
次いで、規格画像判定手段１５は、コマ画像受信手段１４が、受信したコマ画像が所定の接写レンズ５０を用いて撮影された画像（規格画像）であるか否かを判定する（Ｓ２０７）。コマ画像には、図１３（ｃ）に示したように、被写体と共に、接写レンズ５０に付された識別マーク（画像判別用パターン）も同時に写り込んでいる。図１３（ｄ）に、コマ画像の識別マークが写った部分の一例を示す。規格画像判定手段１５は、パターンマッチングによってこの識別マークの有無を検出することができる。
【０１２２】
規格画像判定手段１５は、識別マークが検出され名かった場合には、当該コマ画像は接写レンズ５０により撮影されたものではないと判定し、画像管理テーブルにおける当該コマ画像のコマ画像レコードのレンズコードを「０」に設定し（Ｓ２０８）、当該コマ画像を送信したユーザ端末２に対して当該コマ画像を返信し（Ｓ２０９）、コマ画像登録処理を終了する。一方、コマ画像が返信されたユーザ端末２では、そのコマ画像を受信すると（Ｓ１０９）、当該コマ画像を画像ファイル記憶部３６に保存して（Ｓ１１０）、コマ画像登録処理を終了する。
【０１２３】
一方、ステップＳ２０７において、識別マークが検出された場合、規格画像判定手段１５は、当該コマ画像は接写レンズ５０により撮影されたものと判定し、画像管理テーブルにおける当該コマ画像のコマ画像レコードのレンズコードを１以上の値（識別マークの種類によって決まる値）に設定する（Ｓ２１１）。また、ジョブレコード追加手段１７は、当該コマ画像に関する補正検査ジョブのジョブレコードを、ジョブ情報データベース９のジョブテーブルに追加する（Ｓ２１２）。このとき、ジョブテーブルに新たに追加するジョブレコードには、当該コマ画像の画像ＩＤ，ジョブ登録日時（現在の日時）が登録され、オペレータＩＤは空欄（NULL）、作業進度は初期値「Ａ」、公開フラグは「１」（公開）に設定され、補正トランザクションデータは空欄（NULL）に設定される。
【０１２４】
次いで、ジョブリスト作成手段１９は、ジョブ情報データベース９のジョブテーブルに登録された各ジョブレコードのリストであるジョブ公開リストを作成する（Ｓ２１３）。すでにジョブ公開リストが作成されている場合には、当該ジョブ公開リストに、新たにジョブテーブルに追加されたジョブレコードを追加する。尚、ジョブリスト作成手段１９は、作業深度Ａ，Ｂ，Ｃ，Ｄごとに４種のジョブ公開リストを作成するが、ジョブテーブルに新たにジョブレコードが追加された際には、作業深度Ａのジョブ公開リストＡのみの作成又は更新を行う。
【０１２５】
尚、ジョブリスト作成手段１９は、ジョブ公開リストを作成する際には、ジョブ情報データベース９のジョブテーブルに登録された各ジョブレコードのうち、“公開フラグ”が「１」（公開）のもののみをリストに登録する。
【０１２６】
次いで、ジョブリスト公開手段２０は、ジョブ公開ホームページに、ジョブリスト作成手段１９により作成されたジョブリストを公開し（Ｓ２１３）、コマ画像登録処理を終了する。ジョブ公開ホームページは、アクセスするオペレータの技能レベル（Ａ−Ｄ）ごとに４種類作成され、各技能レベルＡ〜Ｄに対応して、各ジョブ公開リストＡ〜Ｄが掲載される。
【０１２７】
図１４に、ジョブ公開ホームページの表示画面の例を示す。ジョブ公開ホームページは、中央にジョブ公開リスト１５０が表示される。ジョブ公開リスト１５０には、連画ＩＤ・連画名１５１、コマ画像数１５２、補正済コマ画像数１５３、未補正コマ画像数１５４、選択ボタン１５５の表示列が設けられている。オペレータ端末３に於いて、オペレータがマウスなどの入力手段６２により選択ボタン１５５をクリックすると、その行のジョブレコードが選択され、ジョブ選択要求とともに選択されたジョブレコードのジョブＩＤがクラウドサーバ１に送信される。画面の右上には、オペレータＩＤ１５６が表示されている。また、画面の中央上部には、ログアウトボタン１５７が表示されている。オペレータ端末３に於いて、オペレータがマウスなどの入力手段６２によりログアウトボタン１５７をクリックすると、オペレータ端末３とクラウドサーバ１との間でログアウト処理が行われる。
【０１２８】
（２）コマ画像補正・検査処理
次に、本実施例のコマ撮り連続画像作成システムにおける、ジョブ情報データベース９に登録されたコマ画像の補正及び検査処理について説明する。図１５は、本実施例に係るコマ撮り連続画像作成システムにおけるコマ画像補正・検査処理を表すフローチャートである。図１６は、ジョブ情報データベース９に登録された補正検査ジョブの作業深度の状態遷移を表す図である。本実施例において、補正検査ジョブの作業深度は、図１６に示すように、Ａ〜Ｅの５段階（このうち、ジョブ情報データベース９のジョブテーブルに登録されるものは、Ａ〜Ｄの４段階）であり、作業深度Ａが初期深度、作業深度Ｅが最終深度となる。
【０１２９】
まず、オペレータ端末３においてオペレータがクラウドサーバ１に対してログインを行う（Ｓ３０１，Ｓ４０１）。この際、オペレータ端末３とクラウドサーバ１の間に於いて、ログイン処理が行われる。オペレータ端末３のオペレータログイン手段６５は、表示手段６３に、図１０（ａ）と同様のログイン画面を表示させ、オペレータが入力手段６３により、オペレータＩＤ及びパスワードを入力すると、オペレータログイン手段６５は、これをクラウドサーバ１へ送信する（Ｓ３０１）。クラウドサーバ１のオペレータログイン手段１８は、オペレータ端末３からオペレータＩＤ及びパスワードを受信すると、当該オペレータＩＤに対して、オペレータ情報データベース７のオペレータテーブルの“パスワード”と照会し、パスワードが正しければ、当該オペレータ端末３をログイン状態とする（Ｓ４０１）。
【０１３０】
当該オペレータ端末３がログイン状態になると、クラウドサーバ１のオペレータログイン手段６５は、オペレータＩＤのオペレータの技能レベルを索出し、その技能レベルに応じたジョブ公開ホームページのデータ（ジョブリストを含む）を、当該オペレータ端末３に送信する（Ｓ３０２）。当該オペレータ端末３においては、ジョブリスト受信手段６６がジョブ公開ホームページを受信し、表示手段６３に表示する（Ｓ４０２）。例えば、オペレータの技能レベルがＡの場合、作業深度Ａに対応するジョブ公開ホームページＡがオペレータ端末３に送信され、オペレータ端末３では作業深度ＡのジョブリストＡが表示されることになる。
【０１３１】
次に、オペレータ端末３において、オペレータにより、ジョブリストから特定のジョブレコードＪ０の選択指示が入力されると、ジョブ選択手段６７は、ジョブ選択要求とともに、選択されたジョブレコードＪ０のジョブＩＤをクラウドサーバ１に送信する（Ｓ４０３）。クラウドサーバ１においては、当該ジョブ選択要求及びジョブＩＤを受信すると、作業オペレータ登録手段２１は、ジョブ情報データベース９における当該ジョブＩＤのジョブレコードＪ０に当該オペレータ端末のオペレータのオペレータＩＤを登録し（Ｓ３０３）、他のオペレータのオペレータ端末３から同じジョブレコードＪ０が二重に選択されるのを防止するため、ジョブ公開リストから当該ジョブＩＤのジョブレコードＪ０を削除する（又はジョブ公開リストの当該ジョブレコードＪ０を選択不可（公開フラグを「０」（非公開））とする）（Ｓ３０４）。
【０１３２】
次に、クラウドサーバ１において、コマ画像検索手段２２が、ジョブ選択要求により選択されたジョブレコードＪ０のコマ画像レコードＧ０及びそれに対応するコマ画像を画像管理テーブル及び画像ファイル記憶部１０から索出・取得する。さらに、索出したコマ画像レコードＧ０の連画ＩＤと同じ連画ＩＤを有するコマ画像レコードを画像管理テーブルから索出し、索出されたコマ画像レコードのうち撮影日時が最も新しいコマ画像レコードＧ１を選択し、コマ画像レコードＧ１に対応するコマ画像を画像ファイル記憶部１０から取得する。これにより、コマ画像検索手段２２は、ジョブレコードＪ０のコマ画像レコードＧ０及びそのコマ画像Ｉ０と、その直前に登録されたコマ画像レコードＧ１及びそのコマ画像Ｉ１を取得することになる。尚、コマ画像レコードＧ１が存在しない場合には、コマ画像検索手段２２は、コマ画像レコードＧ０及びそのコマ画像Ｉ０のみを取得する。作業画像送信手段２３は、コマ画像検索手段２２により索出されたコマ画像レコードＧ０，Ｇ１のコマ画像Ｉ０，Ｉ１及び補正トランザクションデータを、ジョブ選択要求を発したオペレータ端末３に送信する（Ｓ３０５）。
【０１３３】
オペレータ端末３においては、ジョブ選択要求に対して、クラウドサーバ１からコマ画像レコードＧ０，Ｇ１のコマ画像Ｉ０，Ｉ１（又はコマ画像レコードＧ０のコマ画像Ｉ０）及び補正トランザクションデータを受信すると、コマ画像受信手段６８は、受信したコマ画像をコマ画像記憶手段６４に保存する（Ｓ４０５）。次いで、補正作業画面表示手段６９が、表示手段６３に補正作業画面を表示し、この補正作業画面内に、コマ画像Ｉ０，Ｉ１を表示する。対話補正処理手段７０は、この補正作業画面により、オペレータとの間で、対話処理によるコマ画像Ｉ０の補正処理又は検査処理を行い（Ｓ４０７）、最終的に、コマ画像Ｉ０の補正結果である補正トランザクションデータ又は検査結果情報を作成し、補正画像送信手段７１が補正トランザクションデータ又は検査結果情報をクラウドサーバ１へ送信する（Ｓ４０８）。
【０１３４】
クラウドサーバ１においては、補正トランザクションデータ又は検査判定データを受信すると（Ｓ３０８）、ジョブレコード更新手段２４が、ジョブレコードＪ０の“補正トランザクションデータ”フィールドを、受信した補正トランザクションデータに更新する。次いで、ジョブリスト更新手段２５が、ジョブレコードＪ０の作業深度を所定の遷移規則（図１６参照）に従って遷移させ、遷移後の当該ジョブレコードＪ０の作業深度（Ｂ〜Ｄ）に対応するジョブ公開リストに当該ジョブレコードＪ０を登録する（Ｓ３０９）。但し、遷移後の当該ジョブレコードＪ０の作業深度が最終深度Ｅに達した場合には、補正画像更新手段２６が、連画情報データベース８の画像管理テーブルに登録されたコマ画像レコードＧ０に対応するコマ画像Ｉ０を、当該ジョブレコードＪ０の補正画像の情報（補正トランザクションデータ）に基づき変換し、画像ファイル記憶部１０に格納されたコマ画像Ｉ０を変換後のコマ画像に更新する。
【０１３５】
最後に、ジョブレコード更新手段２４が、ジョブレコードＪ０に登録されているオペレータＩＤのオペレータについて、オペレータ情報データベース７のオペレータテーブルにおける作業件数を加算して更新する。そして、ジョブリスト公開手段２０は、更新されたジョブ公開リストでジョブ公開ホームページを更新し（Ｓ３１１）、コマ画像補正・検査処理の単位処理を終了する。
【０１３６】
図１７は、ステップＳ４０７においてオペレータ端末３に表示される補正作業画面の一例を具体的に表す図である。図１７（ａ）に示すように、補正作業画面の中央の作業画像フレーム１３０には、オペレータによる補正・検査作業の対象であるコマ画像Ｉ０が大きく表示され、その左隣の参照画像フレーム１３１には、コマ画像Ｉ０の直前に撮影されたコマ画像Ｉ１が表示される。尚、作業画像フレーム１３０、参照画像フレーム１３１に表示される表示領域は、実際のコマ画像Ｉ０，Ｉ１の一部である（図１３（ｃ）参照）。また、コマ画像Ｉ０とともに、その補正トランザクションデータを受信した場合には、補正作業画面表示手段６９は、受信した補正トランザクションデータに基づき、コマ画像Ｉ０を変換し、変換したコマ画像Ｉ０を作業画像フレーム１３０に表示する。また、作業画像フレーム１３０には、土台画像として、参照用のコマ画像Ｉ１が、コマ画像Ｉ０に重ねた状態で薄い透過色により表示される。
【０１３７】
作業画像フレーム１３０の右側には、オペレータが補正作業又は検査作業を行うための操作パネル１３２が表示されている。操作パネル１３２は、図１７（ｂ）に拡大して示されているように、上部に３×３個のボタン、中央部に２つのスライドバー、下部に２つのボタンが表示されている。これらのボタン及びスライドバーを、総称して「作業スイッチ」という。
【０１３８】
上部の３×３個の作業スイッチは、中央の作業スイッチが補正作業のリセット指示を入力するリセットボタン（［RESET］ボタン）、リセットボタンの上下左右の作業スイッチが作業画像フレーム１３０の表示領域を上下左右に移動させる移動ボタン、リセットボタンの左上の作業スイッチが作業画像フレーム１３０の表示領域を所定量（例えば１度）だけ右回転させる右回転ボタン、リセットボタンの右上の作業スイッチが作業画像フレーム１３０の表示領域を所定量（例えば１度）だけ左回転させる左回転ボタン、リセットボタンの左下の作業スイッチが土台画像の表示／非表示を切り替える土台画像表示ボタン、リセットボタンの右下の作業スイッチが土台画像の表示濃度を切り替える土台画像濃度切替ボタンである。土台画像表示ボタン及び土台画像濃度切替ボタンは、トグルスイッチとなっている。オペレータが土台画像濃度切替ボタンをマウスでクリック（又はタッチパネルでタップ）すると、土台画像の透過率が０％と５０％とで交互に切り替えられる。また、オペレータがリセットボタンをマウスでクリック（又はタッチパネルでタップ）すると、これまで行った補正作業がリセットされ、コマ画像Ｉ０が最初に表示された状態に戻る。
【０１３９】
中央部に２つの作業スイッチは、作業画像フレーム１３０内に表示される補正対象のコマ画像Ｉ０のコントラスト又は輝度を変化させるスライドバーである。上側のスライドバーがコマ画像Ｉ０のコントラスト調整用のスライドバー、下側のスライドバーがコマ画像Ｉ０の輝度調整用のスライドバーである。
【０１４０】
下部に２つの作業スイッチは、コマ画像Ｉ０の削除指示を入力する削除ボタン（［Delete］ボタン）、及び補正したコマ画像Ｉ０の保存指示（補正確定指示）を入力する保存ボタン（［SAVE］ボタン）である。オペレータが削除ボタンをマウスでクリック（又はタッチパネルでタップ）すると、オペレータ端末３からクラウドサーバ１へ、当該コマ画像Ｉ０の削除指示が送信される。これは、過去の連画から大きく外れ補正不可能なコマ画像Ｉ０がジョブレコードに登録された場合に、そのジョブレコードを削除するためのものである。また、オペレータが保存ボタンをマウスでクリック（又はタッチパネルでタップ）すると、オペレータ端末３からクラウドサーバ１へ、補正作業の結果である補正トランザクションデータが送信される。
【０１４１】
ここで、補正トランザクションデータについて補足説明しておく。図１８は、オペレータ端末３における対話補正処理手段７０による補正作業の一例を表す図である。図１８において、左列の図が、コマ画像Ｉ０に対する表示領域の位置及び向きを表し、右列の図が、実際に作業画像フレーム１３０に表示されるコマ画像Ｉ０の表示状態を表す。
【０１４２】
最初に、コマ画像Ｉ０は、図１８（ａ）のようなものであったとする。図１８における文字「Ａ」が、注目する被写体の画像を表す。補正作業では、まず、図１７に示した移動ボタンを用いて、この被写体の画像を中央に移動させる（図１８（ｂ））。例えば、図１８（ａ）の表示領域を水平方向に１０ピクセル、垂直方向に１０ピクセルだけ移動させて、図１０（ｂ）のように被写体画像が表示領域の中央に移動したとする。このとき、上記補正操作を表す補正トランザクションデータは「translate (10, 10);」となる。
【０１４３】
次に、被写体画像の向きを過去の連画のコマ画像Ｉ１と合わせるため、コマ画像Ｉ０を回転させる（図１８（ｃ））。例えば、図１８（ｂ）の表示領域を右方向に３０度だけ回転させて、図１０（ｃ）のように被写体画像が参照コマ画像Ｉ１の向きと整合したとする。このとき、上記補正操作を表す補正トランザクションデータは「rotate -30deg;」となる。
【０１４４】
この状態（図１８（ｃ））で補正を確定するため、オペレータが保存ボタンをクリックすると、補正作業の最終結果である補正トランザクションデータは「translate (10, 10); rotate -30deg;」のように確定されることになる。この補正トランザクションデータをクラウドサーバ１へ送信すれば、クラウドサーバ１において補正後のコマ画像Ｉ０を再構成することが可能となる。
【０１４５】
尚、補正作業を行う前に、既に他のオペレータにより補正作業が行われている場合には、前に行われた補正トランザクションデータに新たな補正トランザクションデータを追加すればよい。
【０１４６】
最後に、ステップＳ３０９においてジョブリスト更新手段２５が、ジョブレコードＪ０の作業深度を遷移させる際の遷移規則について説明する。補正検査ジョブの作業深度の状態は、図１６に示したような規則で遷移する。作業深度Ａ，Ｂ，Ｃ，Ｄ，Ｅの５段階があり、このうち、ジョブテーブルには、最終深度Ｅ以外の４段階の作業深度Ａ，Ｂ，Ｃ，Ｄのジョブレコードが登録される。
【０１４７】
作業深度Ａのジョブレコードに対しては、技能レベルＡのオペレータが上述した補正作業を行う。このとき、補正作業が終わり、クラウドサーバ１が補正トランザクションデータを受信すると、ステップＳ３０９において、ジョブレコード更新手段２４は、ジョブレコードＪ０の“補正トランザクションデータ”フィールドを、受信した補正トランザクションデータに更新し、当該ジョブレコードＪ０の作業深度Ａを次の作業深度Ｃに遷移させる。
【０１４８】
作業深度Ｃのジョブレコードに対しては、技能レベルＣのオペレータが、目視により、前の補正の合否を判定する検査作業を行う。この場合、図１７のオペレータ端末３の表示画面の操作パネル１３２には、補正の合否の判定を入力する合格スイッチ及び不合格スイッチが表示されることになる。検査作業が終わり、クラウドサーバ１がオペレータ端末３から検査結果情報を受信すると、ステップＳ３０９において、ジョブレコード更新手段２４は、
（ａ）検査結果情報が合格の場合、補正画像更新手段２６により、連画情報データベース８の画像管理テーブルに登録されたコマ画像レコードＧ０に対応するコマ画像Ｉ０を、当該ジョブレコードＪ０の補正トランザクションデータに基づき変換し、画像ファイル記憶部１０に格納されたコマ画像Ｉ０を変換後のコマ画像に更新する。そして、ジョブテーブルの当該ジョブレコードＪ０を削除する。
（ｂ）検査結果情報が不合格の場合、当該ジョブレコードＪ０の作業深度Ｃを次の作業深度Ｂに遷移させる。
【０１４９】
作業深度Ｂのジョブレコードに対しては、技能レベルＢのオペレータが、上述した補正作業を行う。このとき、補正作業が終わり、クラウドサーバ１が補正トランザクションデータを受信すると、ステップＳ３０９において、ジョブレコード更新手段２４は、ジョブレコードＪ０の“補正トランザクションデータ”フィールドを、受信した補正トランザクションデータに更新し、当該ジョブレコードＪ０の作業深度Ｂを次の作業深度Ｄに遷移させる。
【０１５０】
作業深度Ｄのジョブレコードに対しては、技能レベルＤのオペレータが、上述した目視による検査作業及び必要な補正作業を行う。この場合、図１７のオペレータ端末３の表示画面の操作パネル１３２には、図１７（ｂ）に示した各作業スイッチが表示されることになる。技能レベルＤのオペレータが、目視により前の補正の合否を判定し、補正が合格であれば、そのまま保存ボタン（［SAVE］ボタン）をマウスでクリック（又はタッチパネルでタップ）する。この場合、補正トランザクションデータとしては、前の補正で行われた補正トランザクションデータがそのまま送信される。一方、検査の結果、補正が不合格であれば、オペレータは操作パネル１３２により補正作業を行い、その結果作成される補正トランザクションデータをクラウドサーバ１に送信する。クラウドサーバ１が補正トランザクションデータを受信すると、ジョブレコード更新手段２４は、ジョブレコードＪ０の“補正トランザクションデータ”フィールドを、受信した補正トランザクションデータに更新し、補正画像更新手段２６により、連画情報データベース８の画像管理テーブルに登録されたコマ画像レコードＧ０に対応するコマ画像Ｉ０を、当該ジョブレコードＪ０の補正トランザクションデータに基づき変換し、画像ファイル記憶部１０に格納されたコマ画像Ｉ０を変換後のコマ画像に更新する。そして、ジョブテーブルの当該ジョブレコードＪ０を削除する。
【０１５１】
以上のようにして、各コマ画像の補正作業及び検査作業は、多数のクラウドオペレータによって行われ、その結果得られる補正されたコマ画像が、画像ファイル記憶部１０に蓄積されることになる。これらの補正作業及び検査作業は、現在の画像処理技術では、自動的に実施することは極めて困難であり、人間による目視作業によって補正作業を行わなければ、連画としての品質を十分に保つことができない。本実施例のコマ撮り連続画像作成システムでは、各コマ画像に対する一連の補正作業及び検査作業を、補正検査ジョブとして捉え、この補正検査ジョブをジョブ公開ホームページに公開して、多数のクラウドオペレータによる分散処理によって、補正検査ジョブを初期深度から最終深度まで遷移させることで、多数のコマ画像に対する補正作業及び検査作業を素早く実行し、且つ連画としての品質を十分に保つことが可能となる。
【０１５２】
また、入力されるコマ画像の撮影時のばらつきによるコマ画像の縮尺の不均一製をなくすため、本実施例のコマ撮り連続画像作成システムでは、ユーザ端末２において、デジタルカメラ３４と被写体との距離及び拡大率を一定とする専用の接写レンズ５０を用いてコマ画像を撮影するようにするとともに、クラウドサーバにおいて、ユーザ端末２から受信したコマ画像が、接写レンズ５０を用いて撮影された規格画像であるか否かが判別可能とするために、接写レンズ５０の被写域の周縁に位置する部分に沿って、周縁全体に亘って付された、所定のパターン形状の識別マークを設けた。これにより、ユーザの撮影技能に依存することなく各コマ画像の縮尺の均一性が維持され、品質の高い連画を作成することが可能となる。
【０１５３】
（３）連画配信・閲覧処理
最後に、本実施例のコマ撮り連続画像作成システムにおける、連画情報データベース８に登録された連画の配信及び閲覧処理について説明する。図１９は、本実施例に係るコマ撮り連続画像作成システムにおける連画の配信及び閲覧処理を表すフローチャートである。
【０１５４】
まず、ユーザ端末２においてユーザがクラウドサーバ１に対してログインを行う（Ｓ５０１，Ｓ６０１）。尚、ログイン処理については、図９のステップＳ１０１，Ｓ２０１と同様であるため説明は省略する。
【０１５５】
次に、当該ユーザ端末２がログイン状態になると、クラウドサーバ１において、ユーザログイン手段１３は、当該ユーザ端末２に対して公開される連画情報レコードを索出し、連画情報を当該ユーザ端末２へ送信する（Ｓ６０２）。当該ユーザ端末２のユーザログイン手段３８は、連画情報を受信すると、これらをリストとして、図１０（ｂ），（ｃ）に示すような表示画面を、表示手段３３に表示する（Ｓ５０２）。これらの処理も、図９のステップＳ２０２，Ｓ１０２と同様である。
【０１５６】
次に、ユーザ端末２において、ユーザにより連画情報レコードが選択されると、配信要求手段４３は、クラウドサーバ１に対し、連画の配信要求及び当該連画情報レコードの連画ＩＤを送信する。ここで、連画情報レコードの選択は、ユーザ端末２の表示画面に、図１０（ｂ），図１１（ａ）に示したパブリック・リストを表示させた状態に於いて、コマ画像フレーム１０３をタップし、又は図１０（ｃ），図１１（ｂ）に示したパブリック・リストを表示させた状態に於いて、コマ画像フレーム１０３をタップした後、図１１（ｅ）のポップアップにおいて閲覧（［見る］ボタン）を選択することにより行われる。
【０１５７】
クラウドサーバ１において、連画の配信要求及び当該連画情報レコードの連画ＩＤを受信すると、コマ画像配信手段２７が、当該連画ＩＤを有する各コマ画像レコードを連画情報データベース８の画像管理テーブルから索出し、索出した各コマ画像レコードに対応するコマ画像の画像ファイルを、画像ファイル記憶部１０から読み出す（Ｓ６０３）。そして、索出されたコマ画像及びそのコマ画像の撮影日時を当該ユーザのユーザ端末に対し通信回線を介して配信する（Ｓ６０４）。
【０１５８】
次に、ユーザ端末２において、クラウドサーバ１から送信されるコマ画像及びそのコマ画像の撮影日時を受信すると、連画情報受信手段４４は、受信したコマ画像を画像ファイル記憶部３６に保存し、保存したコマ画像のファイル名及びそのコマ画像の撮影日時を、連画ＩＤと関連づけて連画情報データベース３５の画像管理テーブルに保存する（Ｓ５０４）。
【０１５９】
次に、連画表示手段４５は、図１０（ｅ）又は図１０（ｆ）に示した連画閲覧画面を表示し、当該連画閲覧画面に、選択された連画ＩＤのコマ画像を、撮影日時の順に表示する（Ｓ５０５）。
【０１６０】
図２０は、図１０（ｅ），（ｆ）の連画閲覧画面の一例を具体的に表した図である。図２０（ａ）が図１０（ｅ）のパブリック表示状態における連画閲覧画面、図２０（ｂ）が図１０（ｆ）のプライベート表示状態における連画閲覧画面に対応する。図２０（ｃ）は、連画閲覧画面の他の一例を示す図である。
【０１６１】
連画閲覧画面の中央には、コマ画像表示フレーム１４０は配置されており、このコマ画像表示フレーム１４０内に、選択された連画ＩＤのコマ画像が表示される。コマ画像表示フレーム１４０の下部には、コマ画像再生コントローラ１４１が表示されている。コマ画像表示フレーム１４０の左上乃至上方には、表示している連画に関する情報のリストである連画情報リスト１４２が表示されている。コマ画像表示フレーム１４０の右上の撮影日情報ボックス１４３には、コマ画像表示フレーム１４０に現在表示されているコマ画像の撮影日が表示されている。また、連画閲覧画面の上縁には、戻るボタン１４４が表示されている。
【０１６２】
ユーザが、連画閲覧画面のコマ画像再生コントローラ１４１を左方向にフリックすると（Ｓ５０６，Ｓ５０７）、連画表示手段４５は、コマ画像表示フレーム１４０に表示されるコマ画像を、撮影日時がより前のコマ画像に切り替える（Ｓ５０８）。それとともに、撮影日情報ボックス１４３に表示される撮影日も切り替えられる。
【０１６３】
ユーザが、連画閲覧画面のコマ画像再生コントローラ１４１を右方向にフリックすると（Ｓ５０６，Ｓ５０９）、連画表示手段４５は、コマ画像表示フレーム１４０に表示されるコマ画像を、撮影日時がより後のコマ画像に切り替える（Ｓ５１０）。それとともに、撮影日情報ボックス１４３に表示される撮影日も切り替えられる。
【０１６４】
ユーザが連画閲覧画面のコマ画像表示フレーム１４０を１回タップすると（Ｓ５０６，Ｓ５１１）、連画表示手段４５は、コマ画像表示フレーム１４０に拡大したコマ画像を表示する（Ｓ５１２）。また、コマ画像表示フレーム１４０に拡大したコマ画像が表示された状態で、ユーザが連画閲覧画面のコマ画像表示フレーム１４０を１回タップすると（Ｓ５０６，Ｓ５１１）、連画表示手段４５は、コマ画像表示フレーム１４０にもとの倍率（１倍）のコマ画像を表示する（Ｓ５１２）。
【０１６５】
ユーザが連画閲覧画面の戻るボタン１４４をタップすると（Ｓ５１３）、図１０（ｂ）又は図１０（ｃ）の連画情報レコードのリストの表示画面に戻る。
【符号の説明】
【０１６６】
１  クラウドサーバ
２  ユーザ端末
３  オペレータ端末
４  通信回線
５  ユーザ情報データベース
６  商品情報データベース
７  オペレータ情報データベース
８  連画情報データベース
９  ジョブ情報データベース
１０  画像ファイル記憶部
１１  ジョブ公開ホームページ記憶部
１２  通信Ｉ／Ｆ
１３  ユーザログイン手段
１４  コマ画像受信手段
１５  規格画像判定手段
１６  コマ画像登録手段
１７  ジョブレコード追加手段
１８  オペレータログイン手段
１９  ジョブリスト作成手段
２０  ジョブリスト公開手段
２１  作業オペレータ登録手段
２２  コマ画像検索手段
２３  作業画像送信手段
２４  ジョブレコード更新手段
２５  ジョブリスト更新手段
２６  補正画像更新手段
２７  コマ画像配信手段
２８  公開切替手段
２９  連画削除手段
３０  連画追加手段
３１  通信Ｉ／Ｆ
３２  入力手段
３３  表示手段
３４  デジタルカメラ
３５  連画情報データベース
３６  画像ファイル記憶部
３７  商品情報データベース
３８  ユーザログイン手段
３９  ＨＰダウンロード手段
４０  連画選択手段
４１  画像取得手段
４２  コマ画像送信手段
４３  配信要求手段
４４  連画情報受信手段
４５  連画表示手段
４６  公開切替指示手段
４７  連画削除指示手段
４８  連画追加指示手段
５０  接写レンズ
５１  スペーサ
５２  装着部
５２ａ  取り付けネジ
５３  窓穴
５４  第１レンズ
５５  第２レンズ
５６  クリップ
６１  通信Ｉ／Ｆ
６２  入力手段
６３  表示手段
６４  コマ画像記憶手段
６５  オペレータログイン手段
６６  ジョブリスト受信手段
６７  ジョブ選択手段
６８  コマ画像受信手段
６９  補正作業画面表示手段
７０  対話補正処理手段
７１  補正画像送信手段
１００  右側画面
１０１  左側画面
１０２  リスト切替ボタン
１０２ａ  リスト種別
１０３  コマ画像フレーム
１０４  付随情報リスト
１０５  検索条件入力欄
１０６  検索ボタン
１０７  商品評価入力ボタン
１０８  商品購入ボタン
１０９  ニュース表示ボタン
１１０  公開スイッチ
１１１  連画情報レコード削除ボタン
１１２  連画情報レコード追加ボタン
１２０  撮像フレーム
１２１  シャッターボタン
１２２  連画情報リスト
１２３  リスト種別
１２４  戻るボタン
１２５  送信ボタン
１２６  やり直しボタン
１３０  作業画像フレーム
１３１  参照画像フレーム
１３２  操作パネル
１４０  コマ画像表示フレーム
１４１  コマ画像再生コントローラ
１４２  連画情報リスト
１４３  撮影日情報ボックス
１４４  戻るボタン
１５０  ジョブ公開リスト
１５１  連画ＩＤ・連画名
１５２  コマ画像数
１５３  補正済コマ画像数
１５４  未補正コマ画像数
１５５  選択ボタン
１５６  オペレータＩＤ
１５７  ログアウトボタン
【図１】
0006454910.tif 000002
【図２】
0006454910.tif 000003
【図３】
0006454910.tif 000004
【図４】
0006454910.tif 000005
【図５】
0006454910.tif 000006
【図６】
0006454910.tif 000007
【図７】
0006454910.tif 000008
【図８】
0006454910.tif 000009
【図９】
0006454910.tif 000010
【図１０】
0006454910.tif 000011
【図１１】
0006454910.tif 000012
【図１２】
0006454910.tif 000013
【図１３】
0006454910.tif 000014
【図１４】
0006454910.tif 000015
【図１５】
0006454910.tif 000016
【図１６】
0006454910.tif 000017
【図１７】
0006454910.tif 000018
【図１８】
0006454910.tif 000019
【図１９】
0006454910.tif 000020
【図２０】
0006454910.tif 000021